(57)【要約】【課題】従来の縦棧工法は、屋根地に地割寸法に沿って縦横棧を付設し、この縦棧に瓦の裏面尻側に設けた安定駒の差込み側の側面を当接して、位置決め（地割寸法に沿って葺設し）するとともに、横棧にこの安定駒の底面を当接し、また横棧に対の引掛けを係止する構成である。【構成】屋根地に地割寸法に沿って縦横棧を付設し、この縦横棧を利用して瓦を葺設する縦棧葺設工法であって、瓦の裏面尻側に形成した削面を利用し、また瓦の棧山側裏面と、縦棧との間に形成した隙間に向かって差込み、差込みの際に縦棧に安定駒の差込み側を添接し、削面を縦棧に当接し、また安定駒の底面を横棧の表面に当接し、さらに安定駒の凸部を横棧の上面に係止する縦棧葺設工法である。【選択図】図１
2007170077.tif 000002
【特許請求の範囲】
【請求項１】
屋根地に地割寸法に沿って縦横棧を付設し、一本の縦棧に沿って軒先から棟方向に順次葺設した多数の第一の瓦に隣接して多数の第二の瓦を葺設する縦棧葺設工法であって、
この第二の瓦は、裏面尻側の安定駒から差込み側端面に亘って形成した各種の形状の削面を利用して、前記第一の瓦の棧山側裏面と、縦棧との間に形成した隙間に向かって差込み、この差込み時に、前記縦棧に安定駒の差込み側を添接するとともに、前記削面を前記縦棧に当接し、この添接及び当接時に前記安定駒の底面を前記横棧の表面に当接するとともに、この安定駒の凸部を前記横棧の上面に係止し、当該第二の瓦を縦棧及び／又は横棧を利用して、前記第一の瓦に差込み葺設する縦棧葺設工法。
【請求項２】
屋根地に地割寸法に沿って縦横棧を付設し、縦棧及び／又は横棧に沿って桁方向に第一の瓦に隣接して第二の瓦を順次葺設する縦棧葺設工法であって、
この第二の瓦の棧山側を、前記第一の瓦の差込み側に被せ葺きするように葺設し、この被せ葺き時に、前記縦棧に前記第一の瓦に設けた安定駒の差込み側を添接するとともに、この第一の瓦に設けた削面を前記縦棧に当接し、この添接及び当接時に前記安定駒の底面を前記横棧の表面に当接するとともに、この安定駒の凸部を前記横棧の上面に係止し、当該第二の瓦を縦棧及び／又は横棧を利用して、前記第一の瓦に被せ葺設する縦棧葺設工法。
【請求項３】
請求項１又は請求項２に記載の削面を、削面の内側より尻側に向かって順次深く形成し、当該第二の瓦を縦棧に当接した際に、この削面の略全部が当該縦棧に接触し、当該第二の瓦の位置決めと、耐震、耐風効果を発揮できる縦棧葺設工法。
【請求項４】
請求項１又は請求項２に記載の削面を、削面の内側より尻側に向かって同じ深さに形成し、当該第二の瓦を縦棧に当接した際に、この削面の内側が当該縦棧に接触し、当該第二の瓦と縦棧との間に空間が形成されること、また耐震、耐風効果を発揮できる縦棧葺設工法。
【請求項５】
請求項１又は請求項２に記載の削面を、削面の内側より尻側に向かって順次深く形成し、この削面の形状を、瓦を裏面視した際に、三角形状、方形状、又は棧山側に削いだ方形状等の構成としたことを特徴とする耐震、耐風効果を発揮できる縦棧葺設工法。
【請求項６】
請求項１又は請求項２に記載の縦棧葺設工法に使用される瓦であって、
この瓦の裏面の尻側に、当該瓦の谷部の中心を基点として、この差込み側と棧山側とに対の引掛け突起を設け、この差込み側の引掛け突起と、棧山側の引掛け突起とは、屋根地に設けた横棧への略均等な係止を意図して、前記谷部を中心より略同じ所定寸法を確保する構成とし、
またこの瓦の裏面の尻側に、前記差込み側の引掛け突起に隣接して安定駒を形成し、この安定駒から差込み側端面に亘って屋根地に設けた縦棧に当接するための削面を形成し、この削面の内側より尻側に向かって形成される長さが、前記安定駒の流れ方向の長さと略同じにする構成とし、
さらに前記安定駒の尻側に前記横棧に係止する凸部を形成したことを特徴とする縦棧葺設工法用の瓦。
【請求項７】
請求項６に記載の安定駒の凸部が、屋根地に衝突しない垂下形状としたことを特徴とする縦棧葺設工法用の瓦。
【発明の詳細な説明】
【技術分野】
【０００１】
本発明は、縦棧葺設工法と、この縦棧葺設工法用の瓦に関する。
【背景技術】
【０００２】
従来、この種の縦棧葺設工法及びこれに関連する瓦としては、次のような文献（１）、（２）と（３）が挙げられる。
【０００３】
先ず、本出願人の発明である文献（１）と文献（２）を説明すると、この文献（１）は、特開平１１−３５０６６４号の「安定駒利用の耐震、耐風瓦工法」であり、その概要は、屋根地に地割寸法に沿って縦横棧を付設し、この縦棧に瓦の裏面尻側に設けた安定駒の差込み側の側面を当接して、位置決め（地割寸法に沿って葺設し）するとともに、横棧にこの安定駒の底面を当接し、また横棧に対の引掛けを係止する構成である。また文献（２）は、特開平８−３０２９１０号の「瓦の葺設工法」であり、その概要は、屋根地に地割寸法に沿って縦横棧を付設し、この縦棧に瓦の裏面尻側に設けた係止用凸起の棧山側・差込み側の側面、又は切欠段面を当接して、位置決めするとともに、横棧には、従来と同様に、対の引掛けを係止する構成である。
【０００４】
そして、この文献（１）と文献（２）の発明は、従来の縦棧工法の特徴である「１」瓦の適確な位置決め、「２」耐震、耐風効果、「３」被せ葺き、差込み葺きの何れにも片寄らない葺設ができる瓦の提供等が図れる。そして、この発明の独特の特徴である「４」縦棧は、所定の隙間（安定駒と瓦裏面との隙間）に挿入可能な構造であれば、その構造を問わないこと及び／又は縦横棧の兼用ができること、「５」縦棧の素材、縦棧の歪み・凹凸・曲がり・寸法等の限定が回避されること等である。
【０００５】
尚、文献（３）は、特開２０００−１２０２２３の「瓦」であり、その概要は、瓦の尻側裏面に横棧に係止される引掛け及び縦棧に係止等される係止台と支持台とを膨出形成し、この支持台等と対峙する側に屋根地に接触する安定台を設け、この支持台と安定台を横方向に列設することを特徴とする構成である。その特徴は、従来の縦棧工法の特徴である「１」〜「３」が図れること、また本発明の独特の効果は、「６」縦棧への係止と屋根地に接触する安定台を利用して、瓦を安定的かつ確実に葺設できる。
【０００６】
【特許文献１】特開平１１―３５０６６４号
【特許文献２】特開平８−３０２９１０号
【特許文献３】特開２０００−１２０２２３
【発明の開示】
【発明が解決しようとする課題】
【０００７】
前記文献（１）、（２）は、前述の特徴「１」〜「５」を有する優れた発明であるが、その一部に改良の余地が考えられる。例えば、葺設済みの第一の瓦に隣接して第二の瓦を差込み方式で葺設する際に、この第二の瓦の差込み側を、第一の瓦の棧山側裏面と縦棧との間（隙間）に差込む葺設作業が必要であるが、この隙間に差込むには、手間と経験を要する問題があり、この点が改良の余地である。尚、被せ葺きの場合には、葺設済みの第一の瓦の差込み側の上に、第二の瓦の棧山側を被せ葺きする構成であり、前述のような問題は少ない。またこの文献（１）は、安定駒と横棧との係止関係に関する構成は直接意図しないことから、瓦のズレ、飛散又は耐震及び／又は耐風効果に関して、改良すべき点が挙げられる。
【０００８】
また文献（３）は、図２において安定駒の尻側に膨出形成した安定台を備えているが、この安定台は、屋根地に接触する構成であり、またこの文献（３）は、横棧を採用しない縦棧専用の瓦であり、得意な構成となっている。従って、本願発明の構成である「イ」の安定駒の尻側端面に設けた凸部を横棧の上面に係止する葺設工法及び／又は瓦とは本質的に相違する。また本願発明の構成である「ロ」の縦横棧を使用した縦棧工法及び／又はその瓦とは、本質的に相違する。さらに本願発明の構成である「ニ」の安定駒の尻側端面に設けた凸部を屋根地に衝止しない構成とし、屋根地の損傷回避と、濡れ防止等を意図する発明とは、本質的に相違する。
【課題を解決するための手段】
【０００９】
請求項１の発明は、第二の瓦（一例である）の差込み側を、第一の瓦（一例である）の棧山側裏面と、縦棧との間に形成した隙間に向かって差込み作業をすることで、この第二の瓦に設けた安定駒の差込み側が、縦棧の側面に添接するとともに、この削面を縦棧の表面に当接すること、またこの安定駒の底面は、横棧の表面に当接される葺設工法であり、この第二の瓦を、容易・確実かつ迅速に差込み葺設すること、又は安定駒の差込み側に、縦棧の側面を衝止して確実に葺設すること、また指による衝止感覚を利用して葺設すること等を意図する。また請求項１の発明は、安定駒の凸部を横棧に係止することで、瓦の安定施工と、ズレ・回転・飛散防止等が図れる差込み葺き工法（差込み葺設する縦棧葺設工法）を提供することを意図する。
【００１０】
請求項１は、屋根地に地割寸法に沿って縦横棧を付設し、一本の縦棧に沿って軒先から棟方向に順次葺設した多数の第一の瓦に隣接して多数の第二の瓦を葺設する縦棧葺設工法であって、
この第二の瓦は、裏面尻側の安定駒から差込み側端面に亘って形成した各種の形状の削面を利用して、前記第一の瓦の棧山側裏面と、縦棧との間に形成した隙間に向かって差込み、この差込み時に、前記縦棧に安定駒の差込み側を添接するとともに、前記削面を前記縦棧に当接し、この添接及び当接時に前記安定駒の底面を前記横棧の表面に当接するとともに、この安定駒の凸部を前記横棧の上面に係止し、当該第二の瓦を縦棧及び／又は横棧を利用して、前記第一の瓦に差込み葺設する縦棧葺設工法である。
【００１１】
請求項２の発明は、請求項１の目的を達成できる被せ葺き工法（被せ葺設する縦棧葺設工法）を提供することを意図する。
【００１２】
請求項２は、屋根地に地割寸法に沿って縦横棧を付設し、縦棧及び／又は横棧に沿って桁方向に第一の瓦に隣接して第二の瓦を順次葺設する縦棧葺設工法であって、
この第二の瓦の棧山側を、前記第一の瓦の差込み側に被せ葺きするように葺設し、この被せ葺き時に、前記縦棧に前記第一の瓦に設けた安定駒の差込み側を添接するとともに、この第一の瓦に設けた削面を前記縦棧に当接し、この添接及び当接時に前記安定駒の底面を前記横棧の表面に当接するとともに、この安定駒の凸部を前記横棧の上面に係止し、当該第二の瓦を縦棧及び／又は横棧を利用して、前記第一の瓦に被せ葺設する縦棧葺設工法である。
【００１３】
請求項３〜請求項５の発明は、請求項１又は請求項２の目的を達成すること、またこの目的を達成するのに最適な削面の構成を提供することを意図する。
【００１４】
請求項３は、請求項１又は請求項２に記載の削面を、削面の内側より尻側に向かって順次深く形成し、当該第二の瓦を縦棧に当接した際に、この削面の略全部が当該縦棧に接触し、当該第二の瓦の位置決めと、耐震、耐風効果を発揮できる縦棧葺設工法である。
【００１５】
また請求項４は、請求項１又は請求項２に記載の削面を、削面の内側より尻側に向かって同じ深さに形成し、当該第二の瓦を縦棧に当接した際に、この削面の内側が当該縦棧に接触し、当該第二の瓦と縦棧との間に空間が形成されること、また耐震、耐風効果を発揮できる縦棧葺設工法である。
【００１６】
さらに請求項５は、請求項１又は請求項２に記載の削面を、削面の内側より尻側に向かって順次深く形成し、この削面の形状を、瓦を裏面視した際に、三角形状、方形状、又は棧山側に削いだ方形状等の構成としたことを特徴とする耐震、耐風効果を発揮できる縦棧葺設工法である。
【００１７】
請求項６の発明は、請求項１又は請求項２の目的を達成し、この目的を達成するのに最適な瓦を提供すること、また葺設が容易な縦棧用の瓦を提供すること、さらに凸部の膨出寸法を調整することで、葺設及び／又は結束の確実性と容易性を確保すること等を意図する。さらに安定駒を横棧当接部と横棧係止部とにすみ分け利用することで、その双方の特徴を発揮し、耐震性、飛散防止等の向上と、この安定駒の有効利用を図ることを意図する。そして、必要によりこの凸部は、縦棧への当接面積の拡充を介して前述の総合的な特徴を図ることを意図する。
【００１８】
請求項６は、請求項１又は請求項２に記載の縦棧葺設工法に使用される瓦であって、
この瓦の裏面の尻側に、当該瓦の谷部の中心を基点として、この差込み側と棧山側とに対の引掛け突起を設け、この差込み側の引掛け突起と、棧山側の引掛け突起とは、屋根地に設けた横棧への略均等な係止を意図して、前記谷部を中心より略同じ所定寸法を確保する構成とし、
またこの瓦の裏面の尻側に、前記差込み側の引掛け突起に隣接して安定駒を形成し、この安定駒から差込み側端面に亘って屋根地に設けた縦棧に当接するための削面を形成し、この削面の内側より尻側に向かって形成される長さが、前記安定駒の流れ方向の長さと略同じにする構成とし、
さらに前記安定駒の尻側に前記横棧に係止する凸部を形成したことを特徴とする縦棧葺設工法用の瓦である。
【００１９】
請求項７の発明は、請求項６の目的を達成し、この目的を達成するのに最適な瓦を提供すること、また屋根地に損傷を与えないこと、さらに葺設の容易化を図ること等を意図する。
【００２０】
請求項７は、請求項６に記載の安定駒の凸部が、屋根地に衝突しない垂下形状としたことを特徴とする縦棧葺設工法用の瓦である。
【発明の効果】
【００２１】
請求項１の発明は、屋根地に地割寸法に沿って縦横棧を付設し、一本の縦棧に沿って軒先から棟方向に順次葺設した多数の第一の瓦に隣接して多数の第二の瓦を葺設する縦棧葺設工法であって、
第二の瓦は、裏面尻側の安定駒から差込み側端面に亘って形成した各種の形状の削面を利用して、第一の瓦の棧山側裏面と、縦棧との間に形成した隙間に向かって差込み、差込み時に、縦棧に安定駒の差込み側を添接するとともに、削面を縦棧に当接し、添接及び当接時に安定駒の底面を横棧の表面に当接するとともに、安定駒の凸部を横棧の上面に係止し、第二の瓦を縦棧及び／又は横棧を利用して、第一の瓦に差込み葺設する縦棧葺設工法である。
【００２２】
従って、請求項１は、第二の瓦の差込み側を、第一の瓦の棧山側裏面と、縦棧との間に形成した隙間に向かって差込み作業をすることで、この第二の瓦に設けた安定駒の差込み側が、縦棧の側面に添接するとともに、この削面を縦棧の表面に当接できること、またこの安定駒の底面は、横棧の表面に当接される葺設工法であり、この第二の瓦を、容易・確実かつ迅速に差込み葺設できること、又は安定駒の差込み側に、縦棧の側面を衝止して確実に葺設できること、また指による衝止感覚を利用して葺設できること等の特徴を有する。また請求項１は、安定駒の凸部を横棧に係止することで、瓦の安定施工と、ズレ・回転・飛散防止等が図れる差込み葺き工法（差込み葺設する縦棧葺設工法）を提供できること等の実益を有する。
【００２３】
請求項２の発明は、屋根地に地割寸法に沿って縦横棧を付設し、縦棧及び／又は横棧に沿って桁方向に第一の瓦に隣接して第二の瓦を順次葺設する縦棧葺設工法であって、
第二の瓦の棧山側を、第一の瓦の差込み側に被せ葺きするように葺設し、被せ葺き時に、縦棧に第一の瓦に設けた安定駒の差込み側を添接するとともに、第一の瓦に設けた削面を縦棧に当接し、添接及び当接時に安定駒の底面を横棧の表面に当接するとともに、安定駒の凸部を横棧の上面に係止し、第二の瓦を縦棧及び／又は横棧を利用して、第一の瓦に被せ葺設する縦棧葺設工法である。
【００２４】
従って、請求項２は、請求項１の目的を達成できる被せ葺き工法（被せ葺設する縦棧葺設工法）を提供できる特徴を有する。
【００２５】
請求項３の発明は、請求項１又は請求項２に記載の削面を、削面の内側より尻側に向かって順次深く形成し、第二の瓦を縦棧に当接した際に、削面の略全部が縦棧に接触し、第二の瓦の位置決めと、耐震、耐風効果を発揮できる縦棧葺設工法である。
【００２６】
また請求項４の発明は、請求項１又は請求項２に記載の削面を、削面の内側より尻側に向かって同じ深さに形成し、第二の瓦を縦棧に当接した際に、削面の内側が縦棧に接触し、第二の瓦と縦棧との間に空間が形成されること、また耐震、耐風効果を発揮できる縦棧葺設工法である。
【００２７】
さらに請求項５の発明は、請求項１又は請求項２に記載の削面を、削面の内側より尻側に向かって順次深く形成し、削面の形状を、瓦を裏面視した際に、三角形状、方形状、又は棧山側に削いだ方形状等の構成とした耐震、耐風効果を発揮できる縦棧葺設工法である。
【００２８】
従って、請求項３〜請求項５は、請求項１又は請求項２の目的を達成できること、またこの目的を達成するのに最適な削面の構成を提供できること等の特徴を有する。
【００２９】
請求項６の発明は、請求項１又は請求項２に記載の縦棧葺設工法に使用される瓦であって、
瓦の裏面の尻側に、瓦の谷部の中心を基点として、差込み側と棧山側とに対の引掛け突起を設け、差込み側の引掛け突起と、棧山側の引掛け突起とは、屋根地に設けた横棧への略均等な係止を意図して、谷部を中心より略同じ所定寸法を確保する構成とし、
また瓦の裏面の尻側に、差込み側の引掛け突起に隣接して安定駒を形成し、安定駒から差込み側端面に亘って屋根地に設けた縦棧に当接するための削面を形成し、削面の内側より尻側に向かって形成される長さが、安定駒の流れ方向の長さと略同じにする構成とし、
さらに安定駒の尻側に横棧に係止する凸部を形成した縦棧葺設工法用の瓦である。
【００３０】
従って、請求項６は、請求項１又は請求項２の目的を達成できること、この目的を達成するのに最適な瓦を提供できること、また葺設が容易な縦棧用の瓦を提供できること、さらに凸部の膨出寸法を調整することで、葺設及び／又は結束の確実性と容易性を確保できること等の特徴を有する。さらに安定駒を横棧当接部と横棧係止部とにすみ分け利用することで、その双方の特徴を発揮し、耐震性、飛散防止等の向上と、この安定駒の有効利用とが図れる実益がある。そして、必要によりこの凸部は、縦棧への当接面積の拡充を介して前述の総合的な特徴が図れる。  
【００３１】
請求項７の発明は、請求項６に記載の安定駒の凸部が、屋根地に衝突しない垂下形状とした縦棧葺設工法用の瓦である。
【００３２】
従って、請求項７は、請求項６の目的を達成できること、この目的を達成するのに最適な瓦を提供できること、また屋根地に損傷を与えないこと、さらに葺設の容易化が図れること等の特徴を有する。
【発明を実施するための最良の形態】
【００３３】
以下、本発明の実施の態様（形態）を説明する。
【００３４】
１は瓦で、この一例では和型瓦を示すが限定されず、例えば、本葺き一体化瓦（本葺き瓦と丸瓦が一体となった簡易型本葺き瓦）、平瓦、Ｓ型瓦、平板二山瓦等が含まれる。この瓦１の裏面１−２の尻側１ａには、当該瓦１の表面１−１の谷部１−１ａの中心を基点として、対の引掛け突起２、３を設ける。この対の引掛け突起２，３は、差込み側１ｂに設けた引掛け突起２と、棧山側１ｃに設けた引掛け突起３で構成し、この対の引掛け突起２，３を、屋根地Ａに設けた横棧Ａ１に略均等に係止することを意図して、前述の如く、谷部１−１ａの中心より略同じ位置に設ける（所定寸法を確保する）ことが望ましいが限定されない。図中１ｄは瓦１の頭側を示す。
【００３５】
また瓦１の裏面１−２の尻側１ａに、差込み側１ｂの引掛け突起２に隣接して安定駒４を形成し、安定駒４から差込み側１ｂの端面１ｂ−１に亘って屋根地Ａに設けた縦棧Ａ２に当接するための削面５を形成する。この削面５の内側（瓦１の内方）より尻側１ａ（瓦１の外方）に向かって形成される長さＬが、安定駒４の流れ方向（縦棧Ａ２の長手方向「軒から棟の方向」）の長さＬ１と略同じに構成する。この削面５の望ましい、形態の一例を説明する。図８は、削面５を、裏面視して方形状として、その前後（縦棧Ａ２の長手方向における前後）の角部を縦棧Ａ２に、同図矢印「イ」で図示したような二点支持で添接する。この添接は、縦棧Ａ２との間に、空間を形成して、乾燥、腐蝕防止等に役立てること、又は削面５及び／又は縦棧Ａ２の僅かな形状変化に対しても、使用可能な関係を維持できること等の利点がある。また図９は、削面５を、側面視して尻側１ａ端面に向かって傾斜形状として、その略全部を同図矢印「ロ」で図示したような縦棧Ａ２に添接する。この添接は、縦棧Ａ２との密着を確保して、葺設の安定性、瓦１の葺設の一定化、安定化等を図ること、又は安定駒４と横棧Ａ１との当接との相乗効果を利用して、前記葺設の安定性、瓦１の葺設の一定化、安定化等に役立てること、さらに耐風性、耐震性の向上に有効であること等の利点がある。さらに図１２は、削面５を、裏面視して三角形状として、その前から後に向かった傾斜状の角部を縦棧Ａ２に添接する。この例は、瓦１の製造の容易化、形状の安定性に役立つこと等の利点と、前述の図９に略準ずる利点を有する。
【００３６】
そして、また後述する削面５に各態様の凹凸、凹凸条（縦棧Ａ２の長手方向及び／又はその対峙方向等の各方向に向かった、以下省略）、又は係止部等を設けた特徴が発揮できる。尚、この削面５に各態様の凹凸、凹凸条等、又は係止部等を形成し、縦棧Ａ２にこれに対応する各態様の凹凸、凹凸条（縦棧Ａ２の長手方向及び／又はその対峙方向等の各方向に向かった）、又は被係止部等を形成した構造とする。この削面５の各態様の凹凸、凹凸条、又は係止部等と、縦棧Ａ２の各態様の凹凸、凹凸条、又は係止部等との対峙関係を利用し、この両者の係合の容易化、確実化、強固な係合（連繋）等を図ることも可能である。
【００３７】
尚、前記安定駒４の長さＬ１は、瓦１の内側（瓦１の内方）より尻側１ａ（瓦１の外方）に向かって形成されるが、この安定駒４の長さＬ１の略１／２に膨出形状の凸部４０を形成し、この凸部４０の内側４０ａを横棧Ａ１の上面に係止する構成とし、瓦１の安定葺設と、位置決めの容易化、固定化等に役立てることが好ましい。そして、この凸部４０は屋根地Ａに衝突しない寸法とする。またこの凸部４０を備えた安定駒４は、安定駒４としての本来的な効果を備えるとともに、前述した各種の別の新たな効果及び／又は機能を備えており極めて有効であって、かつ実益性を具備する。また内側４０ａの略全体を横棧Ａ１の上面に接触する傾斜面（図示せず）とすることも可能である。更に安定駒４の長さＬ１を延長し、この延長部（図示せず）に係止凸部（図示せず）を設け、前記凸部４０とこの係止凸部で横棧Ａ１を挾む構成とし、瓦１の安定葺設と、飛散防止、耐震強度の向上等を図ることも可能である。
【００３８】
以下、図３〜図７を基にして、差込み葺きの一例を説明すると、屋根地Ａに地割寸法に沿って縦横棧Ａ２、Ａ１を設ける。そして、先ず、第一の瓦１００（１）を葺設するに際して、この縦棧Ａ２に第一の瓦１００の裏面１−２の尻側１ａであって、その差込み側１ｂに形成した削面５を添接するとともに、この第一の瓦１００に設けた安定駒４の差込み側４−１を前記縦棧Ａ２の側面に当接するように葺設し、しかも第一の瓦１００に設けた安定駒４の凸部４０の尻側端部を横棧Ａ２に係止する。この一連の葺設作業で、第一の瓦１００が縦横棧Ａ２、Ａ１を利用して屋根地Ａに葺設される。続いて、第二の瓦１０１（１）を葺設するに際し、この第二の瓦１０１を、前記第一の瓦１００の棧山側１ｃの裏面１−２と、縦棧Ａ２との間に形成した隙間Ｈに向かって、当該第二の瓦１０１の差込み側１ｂを差込み、しかもこの第二の瓦１０１の裏面１−２に設けた削面５を、縦棧Ａ２に添接するようにして差込むとともに、この第二の瓦１０１の安定駒４の凸部４０を横棧Ａ１に係止する。この一連の葺設作業で、第二の瓦１０１が縦横棧Ａ２、Ａ１を利用して屋根地Ａに葺設される。以上のような葺設作業を順次行うことで、この屋根地Ａの全体に瓦１が葺設される。
【００３９】
また他の差込み葺きとしては、前述の第一の瓦１００を順次屋根地Ａの軒先Ｂから棟Ｂ１方向に向かって葺設し、この第一の瓦１００に隣接する第二の瓦１０１を差込み葺設する方法もある。この場合は、前述と同様にこの第一の瓦１００に第二の瓦１０１を同様に差込み葺きする。そして、この第二の瓦１０１を同様に順次屋根地Ａの軒先Ｂから棟Ｂ１方向に向かって葺設する。以上のような葺設作業を順次行うことで、この屋根地Ａの全体に瓦１が葺設される。
【００４０】
従って、第一の瓦１００、第二の瓦１０１（総称する場合は瓦１とする）を、容易・確実かつ迅速に差込み葺設できること、又は安定駒４の差込み側４−１を縦棧Ａ２の側面に衝止及び／又は削面５を縦棧Ａ２の表面に添接し、かつ安定駒４の凸部４０を横棧Ａ１の上面（尻側端部）に係止できることから、瓦１を確実かつ安定して葺設できること、また葺設の簡便化、迅速化等に役立つこと、さらに指による衝止感覚を利用して葺設できること等の特徴を有する。また図示しないが、葺き替えの場合にも、前述と同様な手段が採用できる。従って、この葺き替えの簡便化、迅速化等に役立つ特徴を有する。また従来の縦棧工法では、極めて困難であった、この種の葺き替え作業が容易にできる実益がある。
【００４１】
尚、瓦１の被せ葺きの場合は、図示しないが、前述と同様に第一の瓦１００の裏面１−２に設けた削面５を、縦棧Ａ２に添接するとともに、この第一の瓦１００の安定駒４の凸部４０を横棧Ａ１に係止する。続いて、この第一の瓦１００の差込み側１ｂに第二の瓦１０１の棧山側１ｃを被せ葺きする。この際に前述と同様に、この第二の瓦１０１の裏面１−２に設けた削面５を、縦棧Ａ２に添接するとともに、この第二の瓦１０１の安定駒４の凸部４０を横棧Ａ１に係止する。この一連の葺設作業で、第一の瓦１００及び第二の瓦１０１が縦横棧Ａ２、Ａ１を利用して屋根地Ａに葺設される。以上のような葺設作業を順次行うことで、この屋根地Ａの全体に瓦１が葺設される。従って、前述の差込み葺きと同様な効果が期待できる。
【００４２】
図中２０は尻棧山側の切込み、２１は頭差込み側の切込みをそれぞれ示す。また２２は釘穴、２３は水返しを示す。
【図面の簡単な説明】
【００４３】
【図１】本発明の瓦の一例を示した表面図
【図２】図１の裏面図
【図３】図１の瓦の葺設状態で、棟側より見た縮尺模式図
【図４】図３の要部斜視図
【図５】縦横棧と、瓦の安定駒、削面との関係を示した拡大模式図
【図６】図５の全体を示した尻側からの正面図
【図７】第一の瓦と、第二の瓦との関係を説明する拡大斜視図
【図８】削面の一例を示した側面図
【図９】削面の他の一例を示した側面図
【図１０】図８に示した削面の拡大裏面図
【図１１】本発明の瓦の他の一例を示した裏面図
【図１２】図１１に示した削面の拡大裏面図
【符号の説明】
【００４４】
１            瓦
１００        第一の瓦
１０１        第二の瓦
１−１        表面
１−１ａ      谷部
１−２        裏面
１ａ          尻側
１ｂ          差込み側
１ｂ−１      端面
１ｃ          棧山側
１ｄ          頭側
２            引掛け突起
３            引掛け突起
４            安定駒
４−１        差込み側
４０          凸部
４０ａ        内側
５            削面
２０          切込み
２１          切込み
２２          釘穴
２３          水返し
Ａ            屋根地
Ａ１          横棧
Ａ２          縦棧
Ｂ            軒先
Ｂ１          棟
Ｈ            隙間
Ｌ            長さ
Ｌ１          長さ
【図１】
2007170077.tif 000003
【図２】
2007170077.tif 000004
【図３】
2007170077.tif 000005
【図４】
2007170077.tif 000006
【図５】
2007170077.tif 000007
【図６】
2007170077.tif 000008
【図７】
2007170077.tif 000009
【図８】
2007170077.tif 000010
【図９】
2007170077.tif 000011
【図１０】
2007170077.tif 000012
【図１１】
2007170077.tif 000013
【図１２】
2007170077.tif 000014
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
屋根地に地割に沿って縦横棧を付設し、一本の縦棧に沿って軒先から棟方向に第一の瓦を順次葺設するに際して、この縦棧に安定駒の差込み側を添接し、またこの縦棧に削面を当接するとともに、この第一の瓦の添接及び当接時に、この第一の瓦の安定駒の底面を、前記横棧の表面に当接し、かつこの安定駒に設けた屋根地に衝突しない寸法の凸部と引掛け突起を前記横棧に係止し、この葺設した多数の第一の瓦に隣接して、多数の第二の瓦を葺設する縦棧葺設工法であって、
この第二の瓦は、裏面尻側の凸部を備えた安定駒から差込み側端面に亘って形成した削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつこの安定駒に設けた屋根地に衝突しない寸法の凸部と引掛け突起を前記横棧に係止し、当該第二の瓦を縦棧及び横棧を利用して、前記第一の瓦に差込み葺設する縦棧葺設工法。
【請求項２】
屋根地に地割に沿って縦横棧を付設し、縦棧及び横棧に沿って桁方向に第一の瓦を順次葺設するに際して、この縦棧に安定駒の差込み側を添接し、またこの縦棧に削面を当接するとともに、この第一の瓦の添接及び当接時に、この第一の瓦の安定駒の底面を、前記横棧の表面に当接し、かつこの安定駒に設けた屋根地に衝突しない寸法の凸部と引掛け突起を前記横棧に係止し、この葺設した第一の瓦に隣接して、第二の瓦を葺設する縦棧葺設工法であって、
この第二の瓦の棧山側を、前記第一の瓦の差込み側に被せ葺きするように葺設し、この被せ葺き時に、前記縦棧にこの第二の瓦に設けた安定駒の差込み側を添接し、当該第二の瓦に設けた削面を前記縦棧に当接し、かつこの第二の瓦の添接及び当接時に、この安定駒の底面を前記横棧の表面に当接し、かつこの第二の瓦の安定駒に設けた屋根地に衝突しない寸法の凸部と引掛け突起を前記横棧に係止し、当該第二の瓦を縦棧及び横棧を利用して、前記第一の瓦に被せ葺設する縦棧葺設工法。
【請求項３】
請求項１又は請求項２に記載の縦棧葺設工法において、削面を、この削面の内側より尻側に向かって順次深く形成し、当該第二の瓦を縦棧に当接した際に、この削面の略全部が当該縦棧に接触し、当該第二の瓦の位置決めと、耐震、耐風効果を発揮できる縦棧葺設工法。
【請求項４】
請求項１又は請求項２に記載の縦棧葺設工法において、削面を、この削面の内側より尻側に向かって同じ深さに形成し、当該第二の瓦を縦棧に当接した際に、この削面の内側が当該縦棧に接触し、当該第二の瓦と縦棧との間に空間が形成されること、また耐震、耐風効果を発揮できる縦棧葺設工法。
【請求項５】
請求項１又は請求項２に記載の縦棧葺設工法において、削面を、この削面の内側より尻側に向かって順次深く形成し、この削面の形状は、この瓦を裏面視した際に、三角形状、方形状の構成としたことを特徴とする耐震、耐風効果を発揮できる縦棧葺設工法。
【手続補正２】
【補正対象書類名】明細書
【補正対象項目名】全文
【補正方法】変更
【補正の内容】
【発明の詳細な説明】
【技術分野】
【０００１】
本発明は、縦棧葺設工法に関する。
【背景技術】
【０００２】
従来、この種の縦棧葺設工法としては、次のような文献（１）、（２）と（３）が挙げられる。
【０００３】
先ず、本出願人の発明である文献（１）と文献（２）を説明すると、この文献（１）は、特開平１１−３５０６６４号の「安定駒利用の耐震、耐風瓦工法」であり、その概要は、屋根地に地割寸法に沿って縦横棧を付設し、この縦棧に瓦の裏面尻側に設けた安定駒の差込み側の側面を当接して、位置決め（地割寸法に沿って葺設し）するとともに、横棧にこの安定駒の底面を当接し、また横棧に対の引掛けを係止する構成である。また文献（２）は、特開平８−３０２９１０号の「瓦の葺設工法」であり、その概要は、屋根地に地割寸法に沿って縦横棧を付設し、この縦棧に瓦の裏面尻側に設けた係止用凸起の棧山側・差込み側の側面、又は切欠段面を当接して、位置決めするとともに、横棧には、従来と同様に、対の引掛けを係止する構成である。
【０００４】
そして、この文献（１）と文献（２）の発明は、従来の縦棧工法の特徴である「１」瓦の適確な位置決め、「２」耐震、耐風効果、「３」被せ葺き、差込み葺きの何れにも片寄らない葺設ができる瓦の提供等が図れる。そして、この発明の独特の特徴である「４」縦棧は、所定の隙間（安定駒と瓦裏面との隙間）に挿入可能な構造であれば、その構造を問わないこと及び／又は縦横棧の兼用ができること、「５」縦棧の素材、縦棧の歪み・凹凸・曲がり・寸法等の限定が回避されること等である。
【０００５】
尚、文献（３）は、特開２０００−１２０２２３の「瓦」であり、その概要は、瓦の尻側裏面に横棧に係止される引掛け及び縦棧に係止等される係止台と支持台とを膨出形成し、この支持台等と対峙する側に屋根地に接触する安定台を設け、この支持台と安定台を横方向に列設することを特徴とする構成である。その特徴は、従来の縦棧工法の特徴である「１」〜「３」が図れること、また本発明の独特の効果は、「６」縦棧への係止と屋根地に接触する安定台を利用して、瓦を安定的かつ確実に葺設できる。
【０００６】
【特許文献１】特開平１１―３５０６６４号
【特許文献２】特開平８−３０２９１０号
【特許文献３】特開２０００−１２０２２３
【発明の開示】
【発明が解決しようとする課題】
【０００７】
前記文献（１）、（２）は、前述の特徴「１」〜「５」を有する優れた発明であるが、その一部に改良の余地が考えられる。例えば、葺設済みの第一の瓦に隣接して第二の瓦を差込み方式で葺設する際に、この第二の瓦の差込み側を、第一の瓦の棧山側裏面と縦棧との間（隙間）に差込む葺設作業が必要であるが、この隙間に差込むには、手間と経験を要する問題があり、この点が改良の余地である。尚、被せ葺きの場合には、葺設済みの第一の瓦の差込み側の上に、第二の瓦の棧山側を被せ葺きする構成であり、前述のような問題は少ない。またこの文献（１）は、安定駒と横棧との係止関係に関する構成は直接意図しないことから、瓦のズレ、飛散又は耐震及び／又は耐風効果に関して、改良すべき点が挙げられる。
【０００８】
また文献（３）は、図２において安定駒の尻側に膨出形成した安定台を備えているが、この安定台は、屋根地に接触する構成であり、またこの文献（３）は、横棧を採用しない縦棧専用の瓦であり、得意な構成となっている。従って、本願発明の構成である「イ」の安定駒の尻側端面に設けた凸部を横棧の上面に係止する葺設工法及び／又は瓦とは本質的に相違する。また本願発明の構成である「ロ」の縦横棧を使用した縦棧工法及び／又はその瓦とは、本質的に相違する。さらに本願発明の構成である「ニ」の安定駒の尻側端面に設けた凸部を屋根地に衝止しない構成とし、屋根地の損傷回避と、濡れ防止等を意図する発明とは、本質的に相違する。
【課題を解決するための手段】
【０００９】
請求項１の発明は、第二の瓦（一例である）の差込み側を、第一の瓦（一例である）の棧山側裏面と、縦棧との間に形成した隙間に向かって差込み作業をすることで、この第二の瓦に設けた安定駒の差込み側が、縦棧の側面に添接するとともに、この削面を縦棧の表面に当接すること、またこの安定駒の底面は、横棧の表面に当接される葺設工法であり、この第二の瓦を、容易・確実かつ迅速に差込み葺設すること、又は安定駒の差込み側に、縦棧の側面を衝止して確実に葺設すること、また指による衝止感覚を利用して葺設すること等を意図する。また請求項１の発明は、安定駒の凸部を横棧に係止することで、瓦の安定施工と、ズレ・回転・飛散防止等が図れる差込み葺き工法（差込み葺設する縦棧葺設工法）を提供することを意図する。
【００１０】
請求項１は、屋根地に地割に沿って縦横棧を付設し、一本の縦棧に沿って軒先から棟方向に第一の瓦を順次葺設するに際して、この縦棧に安定駒の差込み側を添接し、またこの縦棧に削面を当接するとともに、この第一の瓦の添接及び当接時に、この第一の瓦の安定駒の底面を、前記横棧の表面に当接し、かつこの安定駒に設けた屋根地に衝突しない寸法の凸部と引掛け突起を前記横棧に係止し、この葺設した多数の第一の瓦に隣接して、多数の第二の瓦を葺設する縦棧葺設工法であって、
この第二の瓦は、裏面尻側の凸部を備えた安定駒から差込み側端面に亘って形成した削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつこの安定駒に設けた屋根地に衝突しない寸法の凸部と引掛け突起を前記横棧に係止し、当該第二の瓦を縦棧及び横棧を利用して、前記第一の瓦に差込み葺設する縦棧葺設工法である。
【００１１】
請求項２の発明は、請求項１の目的を達成できる被せ葺き工法（被せ葺設する縦棧葺設工法）を提供することを意図する。
【００１２】
請求項２は、屋根地に地割に沿って縦横棧を付設し、縦棧及び横棧に沿って桁方向に第一の瓦を順次葺設するに際して、この縦棧に安定駒の差込み側を添接し、またこの縦棧に削面を当接するとともに、この第一の瓦の添接及び当接時に、この第一の瓦の安定駒の底面を、前記横棧の表面に当接し、かつこの安定駒に設けた屋根地に衝突しない寸法の凸部と引掛け突起を前記横棧に係止し、この葺設した第一の瓦に隣接して、第二の瓦を葺設する縦棧葺設工法であって、
この第二の瓦の棧山側を、前記第一の瓦の差込み側に被せ葺きするように葺設し、この被せ葺き時に、前記縦棧にこの第二の瓦に設けた安定駒の差込み側を添接し、当該第二の瓦に設けた削面を前記縦棧に当接し、かつこの第二の瓦の添接及び当接時に、この安定駒の底面を前記横棧の表面に当接し、かつこの第二の瓦の安定駒に設けた屋根地に衝突しない寸法の凸部と引掛け突起を前記横棧に係止し、当該第二の瓦を縦棧及び横棧を利用して、前記第一の瓦に被せ葺設する縦棧葺設工法である。
【００１３】
請求項３〜請求項５の発明は、請求項１又は請求項２の目的を達成すること、またこの目的を達成するのに最適な削面の構成を提供することを意図する。
【００１４】
請求項３は、請求項１又は請求項２に記載の縦棧葺設工法において、削面を、この削面の内側より尻側に向かって順次深く形成し、当該第二の瓦を縦棧に当接した際に、この削面の略全部が当該縦棧に接触し、当該第二の瓦の位置決めと、耐震、耐風効果を発揮できる縦棧葺設工法である。
【００１５】
また請求項４は、請求項１又は請求項２に記載の縦棧葺設工法において、削面を、この削面の内側より尻側に向かって同じ深さに形成し、当該第二の瓦を縦棧に当接した際に、この削面の内側が当該縦棧に接触し、当該第二の瓦と縦棧との間に空間が形成されること、また耐震、耐風効果を発揮できる縦棧葺設工法である。
【００１６】
さらに請求項５は、請求項１又は請求項２に記載の縦棧葺設工法において、削面を、この削面の内側より尻側に向かって順次深く形成し、この削面の形状は、この瓦を裏面視した際に、三角形状、方形状の構成としたことを特徴とする耐震、耐風効果を発揮できる縦棧葺設工法である。
【００１７】
【００１８】
【００１９】
【００２０】
【発明の効果】
【００２１】
請求項１の発明は、屋根地に地割に沿って縦横棧を付設し、一本の縦棧に沿って軒先から棟方向に第一の瓦を順次葺設するに際して、縦棧に安定駒の差込み側を添接し、また縦棧に削面を当接するとともに、第一の瓦の添接及び当接時に、第一の瓦の安定駒の底面を、横棧の表面に当接し、かつ安定駒に設けた屋根地に衝突しない寸法の凸部と引掛け突起を横棧に係止し、葺設した多数の第一の瓦に隣接して、多数の第二の瓦を葺設する縦棧葺設工法であって、
第二の瓦は、裏面尻側の凸部を備えた安定駒から差込み側端面に亘って形成した削面を利用して、第一の瓦の棧山側裏面と、縦棧との間に形成した隙間に向かって差込み、差込み時に、縦棧に安定駒の差込み側を添接し、また削面を縦棧に当接するとともに、第二の瓦の添接及び当接時に、第二の瓦の安定駒の底面を横棧の表面に当接し、かつ安定駒に設けた屋根地に衝突しない寸法の凸部と引掛け突起を横棧に係止し、第二の瓦を縦棧及び横棧を利用して、第一の瓦に差込み葺設する縦棧葺設工法である。
【００２２】
従って、請求項１は、第二の瓦の差込み側を、第一の瓦の棧山側裏面と、縦棧との間に形成した隙間に向かって差込み作業をすることで、この第二の瓦に設けた安定駒の差込み側が、縦棧の側面に添接するとともに、この削面を縦棧の表面に当接できること、またこの安定駒の底面は、横棧の表面に当接される葺設工法であり、この第二の瓦を、容易・確実かつ迅速に差込み葺設できること、又は安定駒の差込み側に、縦棧の側面を衝止して確実に葺設できること、また指による衝止感覚を利用して葺設できること等の特徴を有する。また請求項１は、安定駒の凸部を横棧に係止することで、瓦の安定施工と、ズレ・回転・飛散防止等が図れる差込み葺き工法（差込み葺設する縦棧葺設工法）を提供できること等の実益を有する。
【００２３】
請求項２の発明は、屋根地に地割に沿って縦横棧を付設し、縦棧及び横棧に沿って桁方向に第一の瓦を順次葺設するに際して、縦棧に安定駒の差込み側を添接し、また縦棧に削面を当接するとともに、第一の瓦の添接及び当接時に、第一の瓦の安定駒の底面を、横棧の表面に当接し、かつ安定駒に設けた屋根地に衝突しない寸法の凸部と引掛け突起を横棧に係止し、葺設した第一の瓦に隣接して、第二の瓦を葺設する縦棧葺設工法であって、
第二の瓦の棧山側を、第一の瓦の差込み側に被せ葺きするように葺設し、被せ葺き時に、縦棧に第二の瓦に設けた安定駒の差込み側を添接し、第二の瓦に設けた削面を縦棧に当接し、かつ第二の瓦の添接及び当接時に、安定駒の底面を横棧の表面に当接し、かつ第二の瓦の安定駒に設けた屋根地に衝突しない寸法の凸部と引掛け突起を横棧に係止し、第二の瓦を縦棧及び横棧を利用して、第一の瓦に被せ葺設する縦棧葺設工法である。
【００２４】
従って、請求項２は、請求項１の目的を達成できる被せ葺き工法（被せ葺設する縦棧葺設工法）を提供できる特徴を有する。
【００２５】
請求項３の発明は、請求項１又は請求項２に記載の縦棧葺設工法において、削面を、削面の内側より尻側に向かって順次深く形成し、第二の瓦を縦棧に当接した際に、削面の略全部が縦棧に接触し、第二の瓦の位置決めと、耐震、耐風効果を発揮できる縦棧葺設工法である。
【００２６】
また請求項４の発明は、請求項１又は請求項２に記載の縦棧葺設工法において、削面を、削面の内側より尻側に向かって同じ深さに形成し、第二の瓦を縦棧に当接した際に、削面の内側が縦棧に接触し、第二の瓦と縦棧との間に空間が形成されること、また耐震、耐風効果を発揮できる縦棧葺設工法である。
【００２７】
さらに請求項５の発明は、請求項１又は請求項２に記載の縦棧葺設工法において、削面を、削面の内側より尻側に向かって順次深く形成し、削面の形状は、瓦を裏面視した際に、三角形状、方形状の構成としたことを特徴とする耐震、耐風効果を発揮できる縦棧葺設工法である。
【００２８】
従って、請求項３〜請求項５は、請求項１又は請求項２の目的を達成できること、またこの目的を達成するのに最適な削面の構成を提供できること等の特徴を有する。
【００２９】
【００３０】
【００３１】
【００３２】
【発明を実施するための最良の形態】
【００３３】
以下、本発明の実施の態様（形態）を説明する。
【００３４】
１は瓦で、この一例では和型瓦を示すが限定されず、例えば、本葺き一体化瓦（本葺き瓦と丸瓦が一体となった簡易型本葺き瓦）、平瓦、Ｓ型瓦、平板二山瓦等が含まれる。この瓦１の裏面１−２の尻側１ａには、当該瓦１の表面１−１の谷部１−１ａの中心を基点として、対の引掛け突起２、３を設ける。この対の引掛け突起２，３は、差込み側１ｂに設けた引掛け突起２と、棧山側１ｃに設けた引掛け突起３で構成し、この対の引掛け突起２，３を、屋根地Ａに設けた横棧Ａ１に略均等に係止することを意図して、前述の如く、谷部１−１ａの中心より略同じ位置に設ける（所定寸法を確保する）ことが望ましいが限定されない。図中１ｄは瓦１の頭側を示す。
【００３５】
また瓦１の裏面１−２の尻側１ａに、差込み側１ｂの引掛け突起２に隣接して安定駒４を形成し、安定駒４から差込み側１ｂの端面１ｂ−１に亘って屋根地Ａに設けた縦棧Ａ２に当接するための削面５を形成する。この削面５の内側（瓦１の内方）より尻側１ａ（瓦１の外方）に向かって形成される長さＬが、安定駒４の流れ方向（縦棧Ａ２の長手方向「軒から棟の方向」）の長さＬ１と略同じに構成する。この削面５の望ましい、形態の一例を説明する。図８は、削面５を、裏面視して方形状として、その前後（縦棧Ａ２の長手方向における前後）の角部を縦棧Ａ２に、同図矢印「イ」で図示したような二点支持で添接する。この添接は、縦棧Ａ２との間に、空間を形成して、乾燥、腐蝕防止等に役立てること、又は削面５及び／又は縦棧Ａ２の僅かな形状変化に対しても、使用可能な関係を維持できること等の利点がある。また図９は、削面５を、側面視して尻側１ａ端面に向かって傾斜形状として、その略全部を同図矢印「ロ」で図示したような縦棧Ａ２に添接する。この添接は、縦棧Ａ２との密着を確保して、葺設の安定性、瓦１の葺設の一定化、安定化等を図ること、又は安定駒４と横棧Ａ１との当接との相乗効果を利用して、前記葺設の安定性、瓦１の葺設の一定化、安定化等に役立てること、さらに耐風性、耐震性の向上に有効であること等の利点がある。さらに図１２は、削面５を、裏面視して三角形状として、その前から後に向かった傾斜状の角部を縦棧Ａ２に添接する。この例は、瓦１の製造の容易化、形状の安定性に役立つこと等の利点と、前述の図９に略準ずる利点を有する。
【００３６】
そして、また後述する削面５に各態様の凹凸、凹凸条（縦棧Ａ２の長手方向及び／又はその対峙方向等の各方向に向かった、以下省略）、又は係止部等を設けた特徴が発揮できる。尚、この削面５に各態様の凹凸、凹凸条等、又は係止部等を形成し、縦棧Ａ２にこれに対応する各態様の凹凸、凹凸条（縦棧Ａ２の長手方向及び／又はその対峙方向等の各方向に向かった）、又は被係止部等を形成した構造とする。この削面５の各態様の凹凸、凹凸条、又は係止部等と、縦棧Ａ２の各態様の凹凸、凹凸条、又は係止部等との対峙関係を利用し、この両者の係合の容易化、確実化、強固な係合（連繋）等を図ることも可能である。
【００３７】
尚、前記安定駒４の長さＬ１は、瓦１の内側（瓦１の内方）より尻側１ａ（瓦１の外方）に向かって形成されるが、この安定駒４の長さＬ１の略１／２に膨出形状の凸部４０を形成し、この凸部４０の内側４０ａを横棧Ａ１の上面に係止する構成とし、瓦１の安定葺設と、位置決めの容易化、固定化等に役立てることが好ましい。そして、この凸部４０は屋根地Ａに衝突しない寸法とする。またこの凸部４０を備えた安定駒４は、安定駒４としての本来的な効果を備えるとともに、前述した各種の別の新たな効果及び／又は機能を備えており極めて有効であって、かつ実益性を具備する。また内側４０ａの略全体を横棧Ａ１の上面に接触する傾斜面（図示せず）とすることも可能である。更に安定駒４の長さＬ１を延長し、この延長部（図示せず）に係止凸部（図示せず）を設け、前記凸部４０とこの係止凸部で横棧Ａ１を挾む構成とし、瓦１の安定葺設と、飛散防止、耐震強度の向上等を図ることも可能である。
【００３８】
以下、図３〜図７を基にして、差込み葺きの一例を説明すると、屋根地Ａに地割寸法に沿って縦横棧Ａ２、Ａ１を設ける。そして、先ず、第一の瓦１００（１）を葺設するに際して、この縦棧Ａ２に第一の瓦１００の裏面１−２の尻側１ａであって、その差込み側１ｂに形成した削面５を添接するとともに、この第一の瓦１００に設けた安定駒４の差込み側４−１を前記縦棧Ａ２の側面に当接するように葺設し、しかも第一の瓦１００に設けた安定駒４の凸部４０の尻側端部を横棧Ａ２に係止する。この一連の葺設作業で、第一の瓦１００が縦横棧Ａ２、Ａ１を利用して屋根地Ａに葺設される。続いて、第二の瓦１０１（１）を葺設するに際し、この第二の瓦１０１を、前記第一の瓦１００の棧山側１ｃの裏面１−２と、縦棧Ａ２との間に形成した隙間Ｈに向かって、当該第二の瓦１０１の差込み側１ｂを差込み、しかもこの第二の瓦１０１の裏面１−２に設けた削面５を、縦棧Ａ２に添接するようにして差込むとともに、この第二の瓦１０１の安定駒４の凸部４０を横棧Ａ１に係止する。この一連の葺設作業で、第二の瓦１０１が縦横棧Ａ２、Ａ１を利用して屋根地Ａに葺設される。以上のような葺設作業を順次行うことで、この屋根地Ａの全体に瓦１が葺設される。
【００３９】
また他の差込み葺きとしては、前述の第一の瓦１００を順次屋根地Ａの軒先Ｂから棟Ｂ１方向に向かって葺設し、この第一の瓦１００に隣接する第二の瓦１０１を差込み葺設する方法もある。この場合は、前述と同様にこの第一の瓦１００に第二の瓦１０１を同様に差込み葺きする。そして、この第二の瓦１０１を同様に順次屋根地Ａの軒先Ｂから棟Ｂ１方向に向かって葺設する。以上のような葺設作業を順次行うことで、この屋根地Ａの全体に瓦１が葺設される。
【００４０】
従って、第一の瓦１００、第二の瓦１０１（総称する場合は瓦１とする）を、容易・確実かつ迅速に差込み葺設できること、又は安定駒４の差込み側４−１を縦棧Ａ２の側面に衝止及び／又は削面５を縦棧Ａ２の表面に添接し、かつ安定駒４の凸部４０を横棧Ａ１の上面（尻側端部）に係止できることから、瓦１を確実かつ安定して葺設できること、また葺設の簡便化、迅速化等に役立つこと、さらに指による衝止感覚を利用して葺設できること等の特徴を有する。また図示しないが、葺き替えの場合にも、前述と同様な手段が採用できる。従って、この葺き替えの簡便化、迅速化等に役立つ特徴を有する。また従来の縦棧工法では、極めて困難であった、この種の葺き替え作業が容易にできる実益がある。
【００４１】
尚、瓦１の被せ葺きの場合は、図示しないが、前述と同様に第一の瓦１００の裏面１−２に設けた削面５を、縦棧Ａ２に添接するとともに、この第一の瓦１００の安定駒４の凸部４０を横棧Ａ１に係止する。続いて、この第一の瓦１００の差込み側１ｂに第二の瓦１０１の棧山側１ｃを被せ葺きする。この際に前述と同様に、この第二の瓦１０１の裏面１−２に設けた削面５を、縦棧Ａ２に添接するとともに、この第二の瓦１０１の安定駒４の凸部４０を横棧Ａ１に係止する。この一連の葺設作業で、第一の瓦１００及び第二の瓦１０１が縦横棧Ａ２、Ａ１を利用して屋根地Ａに葺設される。以上のような葺設作業を順次行うことで、この屋根地Ａの全体に瓦１が葺設される。従って、前述の差込み葺きと同様な効果が期待できる。
【００４２】
図中２０は尻棧山側の切込み、２１は頭差込み側の切込みをそれぞれ示す。また２２は釘穴、２３は水返しを示す。
【図面の簡単な説明】
【００４３】
【図１】本発明の瓦の一例を示した表面図
【図２】図１の裏面図
【図３】図１の瓦の葺設状態で、棟側より見た縮尺模式図
【図４】図３の要部斜視図
【図５】縦横棧と、瓦の安定駒、削面との関係を示した拡大模式図
【図６】図５の全体を示した尻側からの正面図
【図７】第一の瓦と、第二の瓦との関係を説明する拡大斜視図
【図８】削面の一例を示した側面図
【図９】削面の他の一例を示した側面図
【図１０】図８に示した削面の拡大裏面図
【図１１】本発明の瓦の他の一例を示した裏面図
【図１２】図１１に示した削面の拡大裏面図
【符号の説明】
【００４４】
１            瓦
１００        第一の瓦
１０１        第二の瓦
１−１        表面
１−１ａ      谷部
１−２        裏面
１ａ          尻側
１ｂ          差込み側
１ｂ−１      端面
１ｃ          棧山側
１ｄ          頭側
２            引掛け突起
３            引掛け突起
４            安定駒
４−１        差込み側
４０          凸部
４０ａ        内側
５            削面
２０          切込み
２１          切込み
２２          釘穴
２３          水返し
Ａ            屋根地
Ａ１          横棧
Ａ２          縦棧
Ｂ            軒先
Ｂ１          棟
Ｈ            隙間
Ｌ            長さ
Ｌ１          長さ
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から差込み側端面に亘って形成した削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法。
【請求項２】
屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から差込み側端面に亘って形成した削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法。
【請求項３】
屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から三角形状に形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から三角形状に形成した削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法。
【請求項４】
屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から三角形状に形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から三角形状に形成した削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法。
【手続補正２】
【補正対象書類名】明細書
【補正対象項目名】全文
【補正方法】変更
【補正の内容】
【発明の詳細な説明】
【技術分野】
【０００１】
本発明は、縦棧葺設工法に関する。
【背景技術】
【０００２】
従来、この種の縦棧葺設工法としては、次のような文献（１）、（２）と（３）が挙げられる。
【０００３】
先ず、本出願人の発明である文献（１）と文献（２）を説明すると、この文献（１）は、特開平１１−３５０６６４号の「安定駒利用の耐震、耐風瓦工法」であり、その概要は、屋根地に地割寸法に沿って縦横棧を付設し、この縦棧に瓦の裏面尻側に設けた安定駒の差込み側の側面を当接して、位置決め（地割寸法に沿って葺設し）するとともに、横棧にこの安定駒の底面を当接し、また横棧に対の引掛けを係止する構成である。また文献（２）は、特開平８−３０２９１０号の「瓦の葺設工法」であり、その概要は、屋根地に地割寸法に沿って縦横棧を付設し、この縦棧に瓦の裏面尻側に設けた係止用凸起の棧山側・差込み側の側面、又は切欠段面を当接して、位置決めするとともに、横棧には、従来と同様に、対の引掛けを係止する構成である。
【０００４】
そして、この文献（１）と文献（２）の発明は、従来の縦棧工法の特徴である「１」瓦の適確な位置決め、「２」耐震、耐風効果、「３」被せ葺き、差込み葺きの何れにも片寄らない葺設ができる瓦の提供等が図れる。そして、この発明の独特の特徴である「４」縦棧は、所定の隙間（安定駒と瓦裏面との隙間）に挿入可能な構造であれば、その構造を問わないこと及び／又は縦横棧の兼用ができること、「５」縦棧の素材、縦棧の歪み・凹凸・曲がり・寸法等の限定が回避されること等である。
【０００５】
尚、文献（３）は、特開２０００−１２０２２３の「瓦」であり、その概要は、瓦の尻側裏面に横棧に係止される引掛け及び縦棧に係止等される係止台と支持台とを膨出形成し、この支持台等と対峙する側に屋根地に接触する安定台を設け、この支持台と安定台を横方向に列設することを特徴とする構成である。その特徴は、従来の縦棧工法の特徴である「１」〜「３」が図れること、また本発明の独特の効果は、「６」縦棧への係止と屋根地に接触する安定台を利用して、瓦を安定的かつ確実に葺設できる。
【０００６】
【特許文献１】特開平１１―３５０６６４号
【特許文献２】特開平８−３０２９１０号
【特許文献３】特開２０００−１２０２２３
【発明の開示】
【発明が解決しようとする課題】
【０００７】
前記文献（１）、（２）は、前述の特徴「１」〜「５」を有する優れた発明であるが、その一部に改良の余地が考えられる。例えば、葺設済みの第一の瓦に隣接して第二の瓦を差込み方式で葺設する際に、この第二の瓦の差込み側を、第一の瓦の棧山側裏面と縦棧との間（隙間）に差込む葺設作業が必要であるが、この隙間に差込むには、手間と経験を要する問題があり、この点が改良の余地である。尚、被せ葺きの場合には、葺設済みの第一の瓦の差込み側の上に、第二の瓦の棧山側を被せ葺きする構成であり、前述のような問題は少ない。またこの文献（１）は、安定駒と横棧との係止関係に関する構成は直接意図しないことから、瓦のズレ、飛散又は耐震及び／又は耐風効果に関して、改良すべき点が挙げられる。
【０００８】
また文献（３）は、図２において安定駒の尻側に膨出形成した安定台を備えているが、この安定台は、屋根地に接触する構成であり、またこの文献（３）は、横棧を採用しない縦棧専用の瓦であり、得意な構成となっている。従って、本願発明の構成である「イ」の安定駒の尻側端面に設けた凸部を横棧の上面に係止する葺設工法及び／又は瓦とは本質的に相違する。また本願発明の構成である「ロ」の縦横棧を使用した縦棧工法及び／又はその瓦とは、本質的に相違する。さらに本願発明の構成である「ニ」の安定駒の尻側端面に設けた凸部を屋根地に衝止しない構成とし、屋根地の損傷回避と、濡れ防止等を意図する発明とは、本質的に相違する。
【課題を解決するための手段】
【０００９】
請求項１の発明は、第二の瓦（一例である）の差込み側を、第一の瓦（一例である）の棧山側裏面と、縦棧との間に形成した隙間に向かって差込み作業をすることで、この第二の瓦に設けた安定駒の差込み側が、縦棧の側面に添接するとともに、この削面を縦棧の表面に当接すること、またこの安定駒の底面は、横棧の表面に当接される葺設工法であり、この第二の瓦を、容易・確実かつ迅速に差込み葺設すること、又は安定駒の差込み側に、縦棧の側面を衝止して確実に葺設すること、また指による衝止感覚を利用して葺設すること等を意図する。また請求項１の発明は、安定駒の凸部を横棧に係止することで、瓦の安定施工と、ズレ・回転・飛散防止等が図れる差込み葺き工法（差込み葺設する縦棧葺設工法）を提供することを意図する。
【００１０】
請求項１は、屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から差込み側端面に亘って形成した削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法である。
【００１１】
請求項２の発明は、請求項１の目的を達成できる被せ葺き工法（被せ葺設する縦棧葺設工法）を提供することを意図する。
【００１２】
請求項２は、屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から差込み側端面に亘って形成した削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法である。
【００１３】
請求項３の発明は、請求項１の目的を達成すること、またこの目的を達成するのに最適な差込み葺設する縦棧葺設工法を提供することを意図する。
【００１４】
請求項３は、屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から三角形状に形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から三角形状に形成した削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法である。
【００１５】
請求項４の発明は、請求項２の目的を達成すること、またこの目的を達成するのに最適な被せ葺設する縦棧葺設工法を提供することを意図する。
【００１６】
請求項４は、屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から三角形状に形成した削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から三角形状に形成した削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法である。
【００１７】
【００１８】
【００１９】
【００２０】
【発明の効果】
【００２１】
請求項１の発明は、屋根地に地割に沿って縦横棧を付設し、一本の縦棧に沿って軒先から棟方向に第一の瓦を順次葺設するに際して、縦棧に、第一の瓦の裏面の尻側に設けた、屋根地に衝突しない寸法の凸部を備える安定駒の差込み側を添接し、また縦棧に、裏面の尻側に設けた、凸部を備える安定駒から差込み側端面に亘って形成した削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦は、裏面の尻側に設けた、屋根地に衝突しない寸法の凸部を備える安定駒から差込み側端面に亘って形成した削面を利用して、第一の瓦の棧山側裏面と、縦棧との間に形成した隙間に向かって差込み、差込み時に、縦棧に安定駒の差込み側を添接し、また削面を縦棧に当接するとともに、第二の瓦の添接及び当接時に、第二の瓦の安定駒の底面を横棧の表面に当接し、かつ凸部と、第二の瓦の裏面の尻側に設けた引掛け突起を横棧に係止し、第二の瓦を縦棧及び横棧を利用して、第一の瓦に差込み葺設する縦棧葺設工法である。
【００２２】
従って、請求項１は、第二の瓦の差込み側を、第一の瓦の棧山側裏面と、縦棧との間に形成した隙間に向かって差込み作業をすることで、この第二の瓦に設けた安定駒の差込み側が、縦棧の側面に添接するとともに、この削面を縦棧の表面に当接できること、またこの安定駒の底面は、横棧の表面に当接される葺設工法であり、この第二の瓦を、容易・確実かつ迅速に差込み葺設できること、又は安定駒の差込み側に、縦棧の側面を衝止して確実に葺設できること、また指による衝止感覚を利用して葺設できること等の特徴を有する。また請求項１は、安定駒の凸部を横棧に係止することで、瓦の安定施工と、ズレ・回転・飛散防止等が図れる差込み葺き工法（差込み葺設する縦棧葺設工法）を提供できること等の実益を有する。
【００２３】
請求項２の発明は、屋根地に地割に沿って縦横棧を付設し、縦棧及び横棧に沿って屋根地の桁方向に第一の瓦を順次葺設するに際して、縦棧に第一の瓦の裏面の尻側に設けた、屋根地に衝突しない寸法の凸部を備える安定駒の差込み側を添接し、また縦棧に、裏面の尻側に設けた、凸部を備える安定駒から差込み側端面に亘って形成した削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦の棧山側を、第一の瓦の差込み側に被せ葺きするように葺設し、被せ葺き時に、縦棧に第二の瓦の裏面の尻側に設けた、屋根地に衝突しない寸法の凸部を備える安定駒の差込み側を添接し、第二の瓦の裏面の尻側に設けた、凸部を備える安定駒から差込み側端面に亘って形成した削面を縦棧に当接し、かつ第二の瓦の添接及び当接時に、安定駒の底面を横棧の表面に当接し、かつ凸部と、第二の瓦の裏面の尻側に設けた引掛け突起を横棧に係止し、第二の瓦を縦棧及び横棧を利用して、第一の瓦に被せ葺設する縦棧葺設工法である。
【００２４】
従って、請求項２は、請求項１の目的を達成できる被せ葺き工法（被せ葺設する縦棧葺設工法）を提供できる特徴を有する。
【００２５】
請求項３の発明は、屋根地に地割に沿って縦横棧を付設し、一本の縦棧に沿って軒先から棟方向に第一の瓦を順次葺設するに際して、縦棧に、第一の瓦の裏面の尻側に設けた、屋根地に衝突しない寸法の凸部を備える安定駒の差込み側を添接し、また縦棧に、裏面の尻側に設けた、凸部を備える安定駒から三角形状に形成した削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦は、裏面の尻側に設けた、屋根地に衝突しない寸法の凸部を備える安定駒から三角形状に形成した削面を利用して、第一の瓦の棧山側裏面と、縦棧との間に形成した隙間に向かって差込み、差込み時に、縦棧に安定駒の差込み側を添接し、また削面を前記縦棧に当接するとともに、第二の瓦の添接及び当接時に、第二の瓦の安定駒の底面を横棧の表面に当接し、かつ凸部と、第二の瓦の裏面の尻側に設けた引掛け突起を横棧に係止し、第二の瓦を縦棧及び横棧を利用して、第一の瓦に差込み葺設する縦棧葺設工法である。
【００２６】
従って、請求項３は、請求項１の目的を達成できること、またこの目的を達成するのに最適な差込み葺設する縦棧葺設工法を提供できること等の特徴を有する。
【００２７】
請求項４の発明は、屋根地に地割に沿って縦横棧を付設し、縦棧及び横棧に沿って屋根地の桁方向に第一の瓦を順次葺設するに際して、縦棧に第一の瓦の裏面の尻側に設けた、屋根地に衝突しない寸法の凸部を備える安定駒の差込み側を添接し、また縦棧に、裏面の尻側に設けた、凸部を備える安定駒から三角形状に形成した削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦の棧山側を、第一の瓦の差込み側に被せ葺きするように葺設し、被せ葺き時に、縦棧に第二の瓦の裏面の尻側に設けた、屋根地に衝突しない寸法の凸部を備える安定駒の差込み側を添接し、第二の瓦の裏面の尻側に設けた、凸部を備える安定駒から三角形状に形成した削面を縦棧に当接し、かつ第二の瓦の添接及び当接時に、安定駒の底面を横棧の表面に当接し、かつ凸部と、第二の瓦の裏面の尻側に設けた引掛け突起を横棧に係止し、第二の瓦を縦棧及び横棧を利用して、第一の瓦に被せ葺設する縦棧葺設工法である。
【００２８】
従って、請求項４は、請求項２の目的を達成できること、またこの目的を達成するのに最適な被せ葺設する縦棧葺設工法を提供できること等の特徴を有する。
【００２９】
【００３０】
【００３１】
【００３２】
【発明を実施するための最良の形態】
【００３３】
以下、本発明の実施の態様（形態）を説明する。
【００３４】
１は瓦で、この一例では和型瓦を示すが限定されず、例えば、本葺き一体化瓦（本葺き瓦と丸瓦が一体となった簡易型本葺き瓦）、平瓦、Ｓ型瓦、平板二山瓦等が含まれる。この瓦１の裏面１−２の尻側１ａには、当該瓦１の表面１−１の谷部１−１ａの中心を基点として、対の引掛け突起２、３を設ける。この対の引掛け突起２，３は、差込み側１ｂに設けた引掛け突起２と、棧山側１ｃに設けた引掛け突起３で構成し、この対の引掛け突起２，３を、屋根地Ａに設けた横棧Ａ１に略均等に係止することを意図して、前述の如く、谷部１−１ａの中心より略同じ位置に設ける（所定寸法を確保する）ことが望ましいが限定されない。図中１ｄは瓦１の頭側を示す。
【００３５】
また瓦１の裏面１−２の尻側１ａに、差込み側１ｂの引掛け突起２に隣接して安定駒４を形成し、安定駒４から差込み側１ｂの端面１ｂ−１に亘って屋根地Ａに設けた縦棧Ａ２に当接するための削面５を形成する。この削面５の内側（瓦１の内方）より尻側１ａ（瓦１の外方）に向かって形成される長さＬが、安定駒４の流れ方向（縦棧Ａ２の長手方向「軒から棟の方向」）の長さＬ１と略同じに構成する。この削面５の望ましい、形態の一例を説明する。図８は、削面５を、裏面視して方形状として、その前後（縦棧Ａ２の長手方向における前後）の角部を縦棧Ａ２に、同図矢印「イ」で図示したような二点支持で添接する。この添接は、縦棧Ａ２との間に、空間を形成して、乾燥、腐蝕防止等に役立てること、又は削面５及び／又は縦棧Ａ２の僅かな形状変化に対しても、使用可能な関係を維持できること等の利点がある。また図９は、削面５を、側面視して尻側１ａ端面に向かって傾斜形状として、その略全部を同図矢印「ロ」で図示したような縦棧Ａ２に添接する。この添接は、縦棧Ａ２との密着を確保して、葺設の安定性、瓦１の葺設の一定化、安定化等を図ること、又は安定駒４と横棧Ａ１との当接との相乗効果を利用して、前記葺設の安定性、瓦１の葺設の一定化、安定化等に役立てること、さらに耐風性、耐震性の向上に有効であること等の利点がある。さらに図１２は、削面５を、裏面視して三角形状として、その前から後に向かった傾斜状の角部を縦棧Ａ２に添接する。この例は、瓦１の製造の容易化、形状の安定性に役立つこと等の利点と、前述の図９に略準ずる利点を有する。
【００３６】
そして、また後述する削面５に各態様の凹凸、凹凸条（縦棧Ａ２の長手方向及び／又はその対峙方向等の各方向に向かった、以下省略）、又は係止部等を設けた特徴が発揮できる。尚、この削面５に各態様の凹凸、凹凸条等、又は係止部等を形成し、縦棧Ａ２にこれに対応する各態様の凹凸、凹凸条（縦棧Ａ２の長手方向及び／又はその対峙方向等の各方向に向かった）、又は被係止部等を形成した構造とする。この削面５の各態様の凹凸、凹凸条、又は係止部等と、縦棧Ａ２の各態様の凹凸、凹凸条、又は係止部等との対峙関係を利用し、この両者の係合の容易化、確実化、強固な係合（連繋）等を図ることも可能である。
【００３７】
尚、前記安定駒４の長さＬ１は、瓦１の内側（瓦１の内方）より尻側１ａ（瓦１の外方）に向かって形成されるが、この安定駒４の長さＬ１の略１／２に膨出形状の凸部４０を形成し、この凸部４０の内側４０ａを横棧Ａ１の上面に係止する構成とし、瓦１の安定葺設と、位置決めの容易化、固定化等に役立てることが好ましい。そして、この凸部４０は屋根地Ａに衝突しない寸法とする。またこの凸部４０を備えた安定駒４は、安定駒４としての本来的な効果を備えるとともに、前述した各種の別の新たな効果及び／又は機能を備えており極めて有効であって、かつ実益性を具備する。また内側４０ａの略全体を横棧Ａ１の上面に接触する傾斜面（図示せず）とすることも可能である。更に安定駒４の長さＬ１を延長し、この延長部（図示せず）に係止凸部（図示せず）を設け、前記凸部４０とこの係止凸部で横棧Ａ１を挾む構成とし、瓦１の安定葺設と、飛散防止、耐震強度の向上等を図ることも可能である。
【００３８】
以下、図３〜図７を基にして、差込み葺きの一例を説明すると、屋根地Ａに地割寸法に沿って縦横棧Ａ２、Ａ１を設ける。そして、先ず、第一の瓦１００（１）を葺設するに際して、この縦棧Ａ２に第一の瓦１００の裏面１−２の尻側１ａであって、その差込み側１ｂに形成した削面５を添接するとともに、この第一の瓦１００に設けた安定駒４の差込み側４−１を前記縦棧Ａ２の側面に当接するように葺設し、しかも第一の瓦１００に設けた安定駒４の凸部４０の尻側端部を横棧Ａ２に係止する。この一連の葺設作業で、第一の瓦１００が縦横棧Ａ２、Ａ１を利用して屋根地Ａに葺設される。続いて、第二の瓦１０１（１）を葺設するに際し、この第二の瓦１０１を、前記第一の瓦１００の棧山側１ｃの裏面１−２と、縦棧Ａ２との間に形成した隙間Ｈに向かって、当該第二の瓦１０１の差込み側１ｂを差込み、しかもこの第二の瓦１０１の裏面１−２に設けた削面５を、縦棧Ａ２に添接するようにして差込むとともに、この第二の瓦１０１の安定駒４の凸部４０を横棧Ａ１に係止する。この一連の葺設作業で、第二の瓦１０１が縦横棧Ａ２、Ａ１を利用して屋根地Ａに葺設される。以上のような葺設作業を順次行うことで、この屋根地Ａの全体に瓦１が葺設される。
【００３９】
また他の差込み葺きとしては、前述の第一の瓦１００を順次屋根地Ａの軒先Ｂから棟Ｂ１方向に向かって葺設し、この第一の瓦１００に隣接する第二の瓦１０１を差込み葺設する方法もある。この場合は、前述と同様にこの第一の瓦１００に第二の瓦１０１を同様に差込み葺きする。そして、この第二の瓦１０１を同様に順次屋根地Ａの軒先Ｂから棟Ｂ１方向に向かって葺設する。以上のような葺設作業を順次行うことで、この屋根地Ａの全体に瓦１が葺設される。
【００４０】
従って、第一の瓦１００、第二の瓦１０１（総称する場合は瓦１とする）を、容易・確実かつ迅速に差込み葺設できること、又は安定駒４の差込み側４−１を縦棧Ａ２の側面に衝止及び／又は削面５を縦棧Ａ２の表面に添接し、かつ安定駒４の凸部４０を横棧Ａ１の上面（尻側端部）に係止できることから、瓦１を確実かつ安定して葺設できること、また葺設の簡便化、迅速化等に役立つこと、さらに指による衝止感覚を利用して葺設できること等の特徴を有する。また図示しないが、葺き替えの場合にも、前述と同様な手段が採用できる。従って、この葺き替えの簡便化、迅速化等に役立つ特徴を有する。また従来の縦棧工法では、極めて困難であった、この種の葺き替え作業が容易にできる実益がある。
【００４１】
尚、瓦１の被せ葺きの場合は、図示しないが、前述と同様に第一の瓦１００の裏面１−２に設けた削面５を、縦棧Ａ２に添接するとともに、この第一の瓦１００の安定駒４の凸部４０を横棧Ａ１に係止する。続いて、この第一の瓦１００の差込み側１ｂに第二の瓦１０１の棧山側１ｃを被せ葺きする。この際に前述と同様に、この第二の瓦１０１の裏面１−２に設けた削面５を、縦棧Ａ２に添接するとともに、この第二の瓦１０１の安定駒４の凸部４０を横棧Ａ１に係止する。この一連の葺設作業で、第一の瓦１００及び第二の瓦１０１が縦横棧Ａ２、Ａ１を利用して屋根地Ａに葺設される。以上のような葺設作業を順次行うことで、この屋根地Ａの全体に瓦１が葺設される。従って、前述の差込み葺きと同様な効果が期待できる。
【００４２】
図中２０は尻棧山側の切込み、２１は頭差込み側の切込みをそれぞれ示す。また２２は釘穴、２３は水返しを示す。
【図面の簡単な説明】
【００４３】
【図１】本発明の瓦の一例を示した表面図
【図２】図１の裏面図
【図３】図１の瓦の葺設状態で、棟側より見た縮尺模式図
【図４】図３の要部斜視図
【図５】縦横棧と、瓦の安定駒、削面との関係を示した拡大模式図
【図６】図５の全体を示した尻側からの正面図
【図７】第一の瓦と、第二の瓦との関係を説明する拡大斜視図
【図８】削面の一例を示した側面図
【図９】削面の他の一例を示した側面図
【図１０】図８に示した削面の拡大裏面図
【図１１】本発明の瓦の他の一例を示した裏面図
【図１２】図１１に示した削面の拡大裏面図
【符号の説明】
【００４４】
１            瓦
１００        第一の瓦
１０１        第二の瓦
１−１        表面
１−１ａ      谷部
１−２        裏面
１ａ          尻側
１ｂ          差込み側
１ｂ−１      端面
１ｃ          棧山側
１ｄ          頭側
２            引掛け突起
３            引掛け突起
４            安定駒
４−１        差込み側
４０          凸部
４０ａ        内側
５            削面
２０          切込み
２１          切込み
２２          釘穴
２３          水返し
Ａ            屋根地
Ａ１          横棧
Ａ２          縦棧
Ｂ            軒先
Ｂ１          棟
Ｈ            隙間
Ｌ            長さ
Ｌ１          長さ
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から差込み側端面に亘って形成した、裏面視して方形状の削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法。
【請求項２】
屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から差込み側端面に亘って形成した、裏面視して方形状の削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法。
【請求項３】
屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して三角形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から差込み側端面に亘って形成した、裏面視して三角形状の削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法。
【請求項４】
屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して三角形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から差込み側端面に亘って形成した、裏面視して三角形状の削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法。
【手続補正２】
【補正対象書類名】明細書
【補正対象項目名】全文
【補正方法】変更
【補正の内容】
【発明の詳細な説明】
【技術分野】
【０００１】
本発明は、縦棧葺設工法に関する。
【背景技術】
【０００２】
従来、この種の縦棧葺設工法としては、次のような文献（１）、（２）と（３）が挙げられる。
【０００３】
先ず、本出願人の発明である文献（１）と文献（２）を説明すると、この文献（１）は、特開平１１−３５０６６４号の「安定駒利用の耐震、耐風瓦工法」であり、その概要は、屋根地に地割寸法に沿って縦横棧を付設し、この縦棧に瓦の裏面尻側に設けた安定駒の差込み側の側面を当接して、位置決め（地割寸法に沿って葺設し）するとともに、横棧にこの安定駒の底面を当接し、また横棧に対の引掛けを係止する構成である。また文献（２）は、特開平８−３０２９１０号の「瓦の葺設工法」であり、その概要は、屋根地に地割寸法に沿って縦横棧を付設し、この縦棧に瓦の裏面尻側に設けた係止用凸起の棧山側・差込み側の側面、又は切欠段面を当接して、位置決めするとともに、横棧には、従来と同様に、対の引掛けを係止する構成である。
【０００４】
そして、この文献（１）と文献（２）の発明は、従来の縦棧工法の特徴である「１」瓦の適確な位置決め、「２」耐震、耐風効果、「３」被せ葺き、差込み葺きの何れにも片寄らない葺設ができる瓦の提供等が図れる。そして、この発明の独特の特徴である「４」縦棧は、所定の隙間（安定駒と瓦裏面との隙間）に挿入可能な構造であれば、その構造を問わないこと及び／又は縦横棧の兼用ができること、「５」縦棧の素材、縦棧の歪み・凹凸・曲がり・寸法等の限定が回避されること等である。
【０００５】
尚、文献（３）は、特開２０００−１２０２２３の「瓦」であり、その概要は、瓦の尻側裏面に横棧に係止される引掛け及び縦棧に係止等される係止台と支持台とを膨出形成し、この支持台等と対峙する側に屋根地に接触する安定台を設け、この支持台と安定台を横方向に列設することを特徴とする構成である。その特徴は、従来の縦棧工法の特徴である「１」〜「３」が図れること、また本発明の独特の効果は、「６」縦棧への係止と屋根地に接触する安定台を利用して、瓦を安定的かつ確実に葺設できる。
【０００６】
【特許文献１】特開平１１―３５０６６４号
【特許文献２】特開平８−３０２９１０号
【特許文献３】特開２０００−１２０２２３
【発明の開示】
【発明が解決しようとする課題】
【０００７】
前記文献（１）、（２）は、前述の特徴「１」〜「５」を有する優れた発明であるが、その一部に改良の余地が考えられる。例えば、葺設済みの第一の瓦に隣接して第二の瓦を差込み方式で葺設する際に、この第二の瓦の差込み側を、第一の瓦の棧山側裏面と縦棧との間（隙間）に差込む葺設作業が必要であるが、この隙間に差込むには、手間と経験を要する問題があり、この点が改良の余地である。尚、被せ葺きの場合には、葺設済みの第一の瓦の差込み側の上に、第二の瓦の棧山側を被せ葺きする構成であり、前述のような問題は少ない。またこの文献（１）は、安定駒と横棧との係止関係に関する構成は直接意図しないことから、瓦のズレ、飛散又は耐震及び／又は耐風効果に関して、改良すべき点が挙げられる。
【０００８】
また文献（３）は、図２において安定駒の尻側に膨出形成した安定台を備えているが、この安定台は、屋根地に接触する構成であり、またこの文献（３）は、横棧を採用しない縦棧専用の瓦であり、得意な構成となっている。従って、本願発明の構成である「イ」の安定駒の尻側端面に設けた凸部を横棧の上面に係止する葺設工法及び／又は瓦とは本質的に相違する。また本願発明の構成である「ロ」の縦横棧を使用した縦棧工法及び／又はその瓦とは、本質的に相違する。さらに本願発明の構成である「ニ」の安定駒の尻側端面に設けた凸部を屋根地に衝止しない構成とし、屋根地の損傷回避と、濡れ防止等を意図する発明とは、本質的に相違する。
【課題を解決するための手段】
【０００９】
請求項１の発明は、第二の瓦（一例である）の差込み側を、第一の瓦（一例である）の棧山側裏面と、縦棧との間に形成した隙間に向かって差込み作業をすることで、この第二の瓦に設けた安定駒の差込み側が、縦棧の側面に添接するとともに、この削面を縦棧の表面に当接すること、またこの安定駒の底面は、横棧の表面に当接される葺設工法であり、この第二の瓦を、容易・確実かつ迅速に差込み葺設すること、又は安定駒の差込み側に、縦棧の側面を衝止して確実に葺設すること、また指による衝止感覚を利用して葺設すること等を意図する。また請求項１の発明は、安定駒の凸部を横棧に係止することで、瓦の安定施工と、ズレ・回転・飛散防止等が図れる差込み葺き工法（差込み葺設する縦棧葺設工法）を提供することを意図する。
【００１０】
請求項１は、  屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から差込み側端面に亘って形成した、裏面視して方形状の削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法。である。
【００１１】
請求項２の発明は、請求項１の目的を達成できる被せ葺き工法（被せ葺設する縦棧葺設工法）を提供することを意図する。
【００１２】
請求項２は、屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から差込み側端面に亘って形成した、裏面視して方形状の削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法である。
【００１３】
請求項３の発明は、請求項１の目的を達成すること、またこの目的を達成するのに最適な差込み葺設する縦棧葺設工法を提供することを意図する。
【００１４】
請求項３は、屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して三角形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記屋根地に衝突しない寸法の凸部を備える安定駒から差込み側端面に亘って形成した、裏面視して三角形状の削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に差込み葺設する縦棧葺設工法である。
【００１５】
請求項４の発明は、請求項３の目的を達成すること、またこの目的を達成するのに最適な被せ葺設する縦棧葺設工法を提供することを意図する。
【００１６】
請求項４は、屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して三角形状の削面を当接するとともに、この第一の瓦の添接及び当接時に、この第一の瓦の安定駒の底面を、前記横棧の表面に当接し、かつ前記凸部と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記屋根地に衝突しない寸法の凸部を備える安定駒の差込み側を添接し、当該第二の瓦の裏面の尻側に設けた、凸部を備える安定駒から差込み側端面に亘って形成した、裏面視して三角形状の削面を前記縦棧に当接し、かつこの第二の瓦の添接及び当接時に、この安定駒の底面を前記横棧の表面に当接し、かつ前記凸部と、前記第二の瓦の裏面の尻側に設けた引掛け突起を前記横棧に係止し、当該第二の瓦を縦棧及び横棧を利用して、前記第一の瓦に被せ葺設する縦棧葺設工法である。
【００１７】
【００１８】
【００１９】
【００２０】
【発明の効果】
【００２１】
請求項１の発明は、屋根地に地割に沿って縦横棧を付設し、一本の縦棧に沿って軒先から棟方向に第一の瓦を順次葺設するに際して、縦棧に、第一の瓦の裏面の尻側に設けた、屋根地に衝突しない寸法の凸部を備える安定駒の差込み側を添接し、また縦棧に、裏面の尻側に設けた、凸部を備える安定駒から差込み側端面に亘って形成した、裏面視して方形状の削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦は、裏面の尻側に設けた、屋根地に衝突しない寸法の凸部を備える安定駒から差込み側端面に亘って形成した、裏面視して方形状の削面を利用して、第一の瓦の棧山側裏面と、縦棧との間に形成した隙間に向かって差込み、差込み時に、縦棧に安定駒の差込み側を添接し、また削面を縦棧に当接するとともに、第二の瓦の添接及び当接時に、第二の瓦の安定駒の底面を横棧の表面に当接し、かつ凸部と、第二の瓦の裏面の尻側に設けた引掛け突起を横棧に係止し、第二の瓦を縦棧及び横棧を利用して、第一の瓦に差込み葺設する縦棧葺設工法。である。
【００２２】
従って、請求項１は、第二の瓦の差込み側を、第一の瓦の棧山側裏面と、縦棧との間に形成した隙間に向かって差込み作業をすることで、この第二の瓦に設けた安定駒の差込み側が、縦棧の側面に添接するとともに、この削面を縦棧の表面に当接できること、またこの安定駒の底面は、横棧の表面に当接される葺設工法であり、この第二の瓦を、容易・確実かつ迅速に差込み葺設できること、又は安定駒の差込み側に、縦棧の側面を衝止して確実に葺設できること、また指による衝止感覚を利用して葺設できること等の特徴を有する。また請求項１は、安定駒の凸部を横棧に係止することで、瓦の安定施工と、ズレ・回転・飛散防止等が図れる差込み葺き工法（差込み葺設する縦棧葺設工法）を提供できること等の実益を有する。
【００２３】
請求項２の発明は、屋根地に地割に沿って縦横棧を付設し、縦棧及び横棧に沿って屋根地の桁方向に第一の瓦を順次葺設するに際して、縦棧に第一の瓦の裏面の尻側に設けた、
屋根地に衝突しない寸法の凸部を備える安定駒の差込み側を添接し、また縦棧に、裏面の尻側に設けた、凸部を備える安定駒から差込み側端面に亘って形成した、裏面視して方形状の削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦の棧山側を、第一の瓦の差込み側に被せ葺きするように葺設し、被せ葺き時に、縦棧に第二の瓦の裏面の尻側に設けた、屋根地に衝突しない寸法の凸部を備える安定駒の差込み側を添接し、第二の瓦の裏面の尻側に設けた、凸部を備える安定駒から差込み側端面に亘って形成した、裏面視して方形状の削面を縦棧に当接し、かつ第二の瓦の添接及び当接時に、安定駒の底面を横棧の表面に当接し、かつ凸部と、第二の瓦の裏面の尻側に設けた引掛け突起を横棧に係止し、第二の瓦を縦棧及び横棧を利用して、第一の瓦に被せ葺設する縦棧葺設工法である。
【００２４】
従って、請求項２は、請求項１の目的を達成できる被せ葺き工法（被せ葺設する縦棧葺設工法）を提供できる特徴を有する。
【００２５】
請求項３の発明は、屋根地に地割に沿って縦横棧を付設し、一本の縦棧に沿って軒先から棟方向に第一の瓦を順次葺設するに際して、縦棧に、第一の瓦の裏面の尻側に設けた、屋根地に衝突しない寸法の凸部を備える安定駒の差込み側を添接し、また縦棧に、裏面の尻側に設けた、凸部を備える安定駒から差込み側端面に亘って形成した、裏面視して三角形状の削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦は、裏面の尻側に設けた、屋根地に衝突しない寸法の凸部を備える安定駒から差込み側端面に亘って形成した、裏面視して三角形状の削面を利用して、第一の瓦の棧山側裏面と、縦棧との間に形成した隙間に向かって差込み、差込み時に、縦棧に安定駒の差込み側を添接し、また削面を前記縦棧に当接するとともに、第二の瓦の添接及び当接時に、第二の瓦の安定駒の底面を横棧の表面に当接し、かつ凸部と、第二の瓦の裏面の尻側に設けた引掛け突起を横棧に係止し、第二の瓦を縦棧及び横棧を利用して、第一の瓦に差込み葺設する縦棧葺設工法である。
【００２６】
従って、請求項３は、請求項１の目的を達成できること、またこの目的を達成するのに最適な差込み葺設する縦棧葺設工法を提供できること等の特徴を有する。
【００２７】
請求項４の発明は、屋根地に地割に沿って縦横棧を付設し、縦棧及び横棧に沿って屋根地の桁方向に第一の瓦を順次葺設するに際して、縦棧に第一の瓦の裏面の尻側に設けた、屋根地に衝突しない寸法の凸部を備える安定駒の差込み側を添接し、また縦棧に、裏面の尻側に設けた、凸部を備える安定駒から差込み側端面に亘って形成した、裏面視して三角形状の削面を当接するとともに、第一の瓦の添接及び当接時に、第一の瓦の安定駒の底面を、横棧の表面に当接し、かつ凸部と、第一の瓦の裏面の尻側に設けた引掛け突起を横棧に係止し、葺設した多数の第一の瓦に隣接して、多数の第二の瓦を葺設する縦棧葺設工法であって、
第二の瓦の棧山側を、第一の瓦の差込み側に被せ葺きするように葺設し、被せ葺き時に、縦棧に第二の瓦の裏面の尻側に設けた、屋根地に衝突しない寸法の凸部を備える安定駒の差込み側を添接し、第二の瓦の裏面の尻側に設けた、凸部を備える安定駒から差込み側端面に亘って形成した、裏面視して三角形状の削面を縦棧に当接し、かつ第二の瓦の添接及び当接時に、安定駒の底面を横棧の表面に当接し、かつ凸部と、第二の瓦の裏面の尻側に設けた引掛け突起を横棧に係止し、第二の瓦を縦棧及び横棧を利用して、第一の瓦に被せ葺設する縦棧葺設工法である。
【００２８】
従って、請求項４は、請求項３の目的を達成できること、またこの目的を達成するのに最適な被せ葺設する縦棧葺設工法を提供できること等の特徴を有する。
【００２９】
【００３０】
【００３１】
【００３２】
【発明を実施するための最良の形態】
【００３３】
以下、本発明の実施の態様（形態）を説明する。
【００３４】
１は瓦で、この一例では和型瓦を示すが限定されず、例えば、本葺き一体化瓦（本葺き瓦と丸瓦が一体となった簡易型本葺き瓦）、平瓦、Ｓ型瓦、平板二山瓦等が含まれる。この瓦１の裏面１−２の尻側１ａには、当該瓦１の表面１−１の谷部１−１ａの中心を基点として、対の引掛け突起２、３を設ける。この対の引掛け突起２，３は、差込み側１ｂに設けた引掛け突起２と、棧山側１ｃに設けた引掛け突起３で構成し、この対の引掛け突起２，３を、屋根地Ａに設けた横棧Ａ１に略均等に係止することを意図して、前述の如く、谷部１−１ａの中心より略同じ位置に設ける（所定寸法を確保する）ことが望ましいが限定されない。図中１ｄは瓦１の頭側を示す。
【００３５】
また瓦１の裏面１−２の尻側１ａに、差込み側１ｂの引掛け突起２に隣接して安定駒４を形成し、安定駒４から差込み側１ｂの端面１ｂ−１に亘って屋根地Ａに設けた縦棧Ａ２に当接するための削面５を形成する。この削面５の内側（瓦１の内方）より尻側１ａ（瓦１の外方）に向かって形成される長さＬが、安定駒４の流れ方向（縦棧Ａ２の長手方向「軒から棟の方向」）の長さＬ１と略同じに構成する。この削面５の望ましい、形態の一例を説明する。図８は、削面５を、裏面視して方形状として、その前後（縦棧Ａ２の長手方向における前後）の角部を縦棧Ａ２に、同図矢印「イ」で図示したような二点支持で添接する。この添接は、縦棧Ａ２との間に、空間を形成して、乾燥、腐蝕防止等に役立てること、又は削面５及び／又は縦棧Ａ２の僅かな形状変化に対しても、使用可能な関係を維持できること等の利点がある。また図９は、削面５を、側面視して尻側１ａ端面に向かって傾斜形状として、その略全部を同図矢印「ロ」で図示したような縦棧Ａ２に添接する。この添接は、縦棧Ａ２との密着を確保して、葺設の安定性、瓦１の葺設の一定化、安定化等を図ること、又は安定駒４と横棧Ａ１との当接との相乗効果を利用して、前記葺設の安定性、瓦１の葺設の一定化、安定化等に役立てること、さらに耐風性、耐震性の向上に有効であること等の利点がある。さらに図１２は、削面５を、裏面視して三角形状として、その前から後に向かった傾斜状の角部を縦棧Ａ２に添接する。この例は、瓦１の製造の容易化、形状の安定性に役立つこと等の利点と、前述の図９に略準ずる利点を有する。
【００３６】
そして、また後述する削面５に各態様の凹凸、凹凸条（縦棧Ａ２の長手方向及び／又はその対峙方向等の各方向に向かった、以下省略）、又は係止部等を設けた特徴が発揮できる。尚、この削面５に各態様の凹凸、凹凸条等、又は係止部等を形成し、縦棧Ａ２にこれに対応する各態様の凹凸、凹凸条（縦棧Ａ２の長手方向及び／又はその対峙方向等の各方向に向かった）、又は被係止部等を形成した構造とする。この削面５の各態様の凹凸、凹凸条、又は係止部等と、縦棧Ａ２の各態様の凹凸、凹凸条、又は係止部等との対峙関係を利用し、この両者の係合の容易化、確実化、強固な係合（連繋）等を図ることも可能である。
【００３７】
尚、前記安定駒４の長さＬ１は、瓦１の内側（瓦１の内方）より尻側１ａ（瓦１の外方）に向かって形成されるが、この安定駒４の長さＬ１の略１／２に膨出形状の凸部４０を形成し、この凸部４０の内側４０ａを横棧Ａ１の上面に係止する構成とし、瓦１の安定葺設と、位置決めの容易化、固定化等に役立てることが好ましい。そして、この凸部４０は屋根地Ａに衝突しない寸法とする。またこの凸部４０を備えた安定駒４は、安定駒４としての本来的な効果を備えるとともに、前述した各種の別の新たな効果及び／又は機能を備えており極めて有効であって、かつ実益性を具備する。また内側４０ａの略全体を横棧Ａ１の上面に接触する傾斜面（図示せず）とすることも可能である。更に安定駒４の長さＬ１を延長し、この延長部（図示せず）に係止凸部（図示せず）を設け、前記凸部４０とこの係止凸部で横棧Ａ１を挾む構成とし、瓦１の安定葺設と、飛散防止、耐震強度の向上等を図ることも可能である。
【００３８】
以下、図３〜図７を基にして、差込み葺きの一例を説明すると、屋根地Ａに地割寸法に沿って縦横棧Ａ２、Ａ１を設ける。そして、先ず、第一の瓦１００（１）を葺設するに際して、この縦棧Ａ２に第一の瓦１００の裏面１−２の尻側１ａであって、その差込み側１ｂに形成した削面５を添接するとともに、この第一の瓦１００に設けた安定駒４の差込み側４−１を前記縦棧Ａ２の側面に当接するように葺設し、しかも第一の瓦１００に設けた安定駒４の凸部４０の尻側端部を横棧Ａ２に係止する。この一連の葺設作業で、第一の瓦１００が縦横棧Ａ２、Ａ１を利用して屋根地Ａに葺設される。続いて、第二の瓦１０１（１）を葺設するに際し、この第二の瓦１０１を、前記第一の瓦１００の棧山側１ｃの裏面１−２と、縦棧Ａ２との間に形成した隙間Ｈに向かって、当該第二の瓦１０１の差込み側１ｂを差込み、しかもこの第二の瓦１０１の裏面１−２に設けた削面５を、縦棧Ａ２に添接するようにして差込むとともに、この第二の瓦１０１の安定駒４の凸部４０を横棧Ａ１に係止する。この一連の葺設作業で、第二の瓦１０１が縦横棧Ａ２、Ａ１を利用して屋根地Ａに葺設される。以上のような葺設作業を順次行うことで、この屋根地Ａの全体に瓦１が葺設される。
【００３９】
また他の差込み葺きとしては、前述の第一の瓦１００を順次屋根地Ａの軒先Ｂから棟Ｂ１方向に向かって葺設し、この第一の瓦１００に隣接する第二の瓦１０１を差込み葺設する方法もある。この場合は、前述と同様にこの第一の瓦１００に第二の瓦１０１を同様に差込み葺きする。そして、この第二の瓦１０１を同様に順次屋根地Ａの軒先Ｂから棟Ｂ１方向に向かって葺設する。以上のような葺設作業を順次行うことで、この屋根地Ａの全体に瓦１が葺設される。
【００４０】
従って、第一の瓦１００、第二の瓦１０１（総称する場合は瓦１とする）を、容易・確実かつ迅速に差込み葺設できること、又は安定駒４の差込み側４−１を縦棧Ａ２の側面に衝止及び／又は削面５を縦棧Ａ２の表面に添接し、かつ安定駒４の凸部４０を横棧Ａ１の上面（尻側端部）に係止できることから、瓦１を確実かつ安定して葺設できること、また葺設の簡便化、迅速化等に役立つこと、さらに指による衝止感覚を利用して葺設できること等の特徴を有する。また図示しないが、葺き替えの場合にも、前述と同様な手段が採用できる。従って、この葺き替えの簡便化、迅速化等に役立つ特徴を有する。また従来の縦棧工法では、極めて困難であった、この種の葺き替え作業が容易にできる実益がある。
【００４１】
尚、瓦１の被せ葺きの場合は、図示しないが、前述と同様に第一の瓦１００の裏面１−２に設けた削面５を、縦棧Ａ２に添接するとともに、この第一の瓦１００の安定駒４の凸部４０を横棧Ａ１に係止する。続いて、この第一の瓦１００の差込み側１ｂに第二の瓦１０１の棧山側１ｃを被せ葺きする。この際に前述と同様に、この第二の瓦１０１の裏面１−２に設けた削面５を、縦棧Ａ２に添接するとともに、この第二の瓦１０１の安定駒４の凸部４０を横棧Ａ１に係止する。この一連の葺設作業で、第一の瓦１００及び第二の瓦１０１が縦横棧Ａ２、Ａ１を利用して屋根地Ａに葺設される。以上のような葺設作業を順次行うことで、この屋根地Ａの全体に瓦１が葺設される。従って、前述の差込み葺きと同様な効果が期待できる。
【００４２】
図中２０は尻棧山側の切込み、２１は頭差込み側の切込みをそれぞれ示す。また２２は釘穴、２３は水返しを示す。
【図面の簡単な説明】
【００４３】
【図１】本発明の瓦の一例を示した表面図
【図２】図１の裏面図
【図３】図１の瓦の葺設状態で、棟側より見た縮尺模式図
【図４】図３の要部斜視図
【図５】縦横棧と、瓦の安定駒、削面との関係を示した拡大模式図
【図６】図５の全体を示した尻側からの正面図
【図７】第一の瓦と、第二の瓦との関係を説明する拡大斜視図
【図８】削面の一例を示した側面図
【図９】削面の他の一例を示した側面図
【図１０】図８に示した削面の拡大裏面図
【図１１】本発明の瓦の他の一例を示した裏面図
【図１２】図１１に示した削面の拡大裏面図
【符号の説明】
【００４４】
１            瓦
１００        第一の瓦
１０１        第二の瓦
１−１        表面
１−１ａ      谷部
１−２        裏面
１ａ          尻側
１ｂ          差込み側
１ｂ−１      端面
１ｃ          棧山側
１ｄ          頭側
２            引掛け突起
３            引掛け突起
４            安定駒
４−１        差込み側
４０          凸部
４０ａ        内側
５            削面
２０          切込み
２１          切込み
２２          釘穴
２３          水返し
Ａ            屋根地
Ａ１          横棧
Ａ２          縦棧
Ｂ            軒先
Ｂ１          棟
Ｈ            隙間
Ｌ            長さ
Ｌ１          長さ
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記凸部を備える安定駒から差込み側端面に亘って形成した、裏面視して方形状の削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に差込み葺設する縦棧葺設工法。
【請求項２】
屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記凸部を備える安定駒の差込み側を添接し、当該第二の瓦の裏面の尻側に設けた、凸部を備える安定駒から差込み側端面に亘って形成した、裏面視して方形状の削面を前記縦棧に当接し、かつこの第二の瓦の添接及び当接時に、この安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に被せ葺設する縦棧葺設工法。
【請求項３】
屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、裏面視して三角形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記三角形状の削面を利用して、前記第一の瓦の棧山側裏面と、縦棧との間に形成した隙間に向かって差込み、この差込み時に、前記縦棧に安定駒の差込み側を添接するとともに、当該第二の瓦の裏面の尻側に設けた、前記三角形状の削面を前記縦棧に当接するこの第二の瓦の添接及び当接時に、この第二の瓦の安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に差込み葺設する縦棧葺設工法。
【請求項４】
屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、裏面視して三角形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記凸部を備える安定駒の差込み側を添接するとともに、当該第二の瓦の裏面の尻側に設けた、前記三角形状の削面を前記縦棧に当接するこの第二の瓦の添接及び当接時に、この安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に被せ葺設する縦棧葺設工法。
【手続補正２】
【補正対象書類名】明細書
【補正対象項目名】全文
【補正方法】変更
【補正の内容】
【発明の詳細な説明】
【技術分野】
【０００１】
本発明は、縦棧葺設工法に関する。
【背景技術】
【０００２】
従来、この種の縦棧葺設工法としては、次のような文献（１）、（２）と（３）が挙げられる。
【０００３】
先ず、本出願人の発明である文献（１）と文献（２）を説明すると、この文献（１）は、特開平１１−３５０６６４号の「安定駒利用の耐震、耐風瓦工法」であり、その概要は、屋根地に地割寸法に沿って縦横棧を付設し、この縦棧に瓦の裏面尻側に設けた安定駒の差込み側の側面を当接して、位置決め（地割寸法に沿って葺設し）するとともに、横棧にこの安定駒の底面を当接し、また横棧に対の引掛けを係止する構成である。また文献（２）は、特開平８−３０２９１０号の「瓦の葺設工法」であり、その概要は、屋根地に地割寸法に沿って縦横棧を付設し、この縦棧に瓦の裏面尻側に設けた係止用凸起の棧山側・差込み側の側面、又は切欠段面を当接して、位置決めするとともに、横棧には、従来と同様に、対の引掛けを係止する構成である。
【０００４】
そして、この文献（１）と文献（２）の発明は、従来の縦棧工法の特徴である「１」瓦の適確な位置決め、「２」耐震、耐風効果、「３」被せ葺き、差込み葺きの何れにも片寄らない葺設ができる瓦の提供等が図れる。そして、この発明の独特の特徴である「４」縦棧は、所定の隙間（安定駒と瓦裏面との隙間）に挿入可能な構造であれば、その構造を問わないこと及び／又は縦横棧の兼用ができること、「５」縦棧の素材、縦棧の歪み・凹凸・曲がり・寸法等の限定が回避されること等である。
【０００５】
尚、文献（３）は、特開２０００−１２０２２３の「瓦」であり、その概要は、瓦の尻側裏面に横棧に係止される引掛け及び縦棧に係止等される係止台と支持台とを膨出形成し、この支持台等と対峙する側に屋根地に接触する安定台を設け、この支持台と安定台を横方向に列設することを特徴とする構成である。その特徴は、従来の縦棧工法の特徴である「１」〜「３」が図れること、また本発明の独特の効果は、「６」縦棧への係止と屋根地に接触する安定台を利用して、瓦を安定的かつ確実に葺設できる。
【０００６】
【特許文献１】特開平１１―３５０６６４号
【特許文献２】特開平８−３０２９１０号
【特許文献３】特開２０００−１２０２２３
【発明の開示】
【発明が解決しようとする課題】
【０００７】
前記文献（１）、（２）は、前述の特徴「１」〜「５」を有する優れた発明であるが、その一部に改良の余地が考えられる。例えば、葺設済みの第一の瓦に隣接して第二の瓦を差込み方式で葺設する際に、この第二の瓦の差込み側を、第一の瓦の棧山側裏面と縦棧との間（隙間）に差込む葺設作業が必要であるが、この隙間に差込むには、手間と経験を要する問題があり、この点が改良の余地である。尚、被せ葺きの場合には、葺設済みの第一の瓦の差込み側の上に、第二の瓦の棧山側を被せ葺きする構成であり、前述のような問題は少ない。またこの文献（１）は、安定駒と横棧との係止関係に関する構成は直接意図しないことから、瓦のズレ、飛散又は耐震及び／又は耐風効果に関して、改良すべき点が挙げられる。
【０００８】
また文献（３）は、図２において安定駒の尻側に膨出形成した安定台を備えているが、この安定台は、屋根地に接触する構成であり、またこの文献（３）は、横棧を採用しない縦棧専用の瓦であり、得意な構成となっている。従って、本願発明の構成である「イ」の安定駒の尻側端面に設けた凸部を横棧の上面に係止する葺設工法及び／又は瓦とは本質的に相違する。また本願発明の構成である「ロ」の縦横棧を使用した縦棧工法及び／又はその瓦とは、本質的に相違する。さらに本願発明の構成である「ニ」の安定駒の尻側端面に設けた凸部を屋根地に衝止しない構成とし、屋根地の損傷回避と、濡れ防止等を意図する発明とは、本質的に相違する。
【課題を解決するための手段】
【０００９】
請求項１の発明は、第二の瓦（一例である）の差込み側を、第一の瓦（一例である）の棧山側裏面と、縦棧との間に形成した隙間に向かって差込み作業をすることで、この第二の瓦に設けた安定駒の差込み側が、縦棧の側面に添接するとともに、この削面を縦棧の表面に当接すること、またこの安定駒の底面は、横棧の表面に当接される葺設工法であり、この第二の瓦を、容易・確実かつ迅速に差込み葺設すること、又は安定駒の差込み側に、縦棧の側面を衝止して確実に葺設すること、また指による衝止感覚を利用して葺設すること等を意図する。また請求項１の発明は、安定駒の凸部を横棧に係止することで、瓦の安定施工と、ズレ・回転・飛散防止等が図れる差込み葺き工法（差込み葺設する縦棧葺設工法）を提供することを意図する。
【００１０】
請求項１は、  屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記凸部を備える安定駒から差込み側端面に亘って形成した、裏面視して方形状の削面を利用して、前記第一の瓦の棧山側裏面と、縦棧との間に形成した隙間に向かって差込み、この差込み時に、前記縦棧に安定駒の差込み側を添接し、また前記削面を前記縦棧に当接するとともに、この第二の瓦の添接及び当接時に、この第二の瓦の安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に差込み葺設する縦棧葺設工法。である。
【００１１】
請求項２の発明は、請求項１の目的を達成できる被せ葺き工法（被せ葺設する縦棧葺設工法）を提供することを意図する。
【００１２】
請求項２は、屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、凸部を備える安定駒から差込み側端面に亘って形成した、裏面視して方形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記凸部を備える安定駒の差込み側を添接し、当該第二の瓦の裏面の尻側に設けた、凸部を備える安定駒から差込み側端面に亘って形成した、裏面視して方形状の削面を前記縦棧に当接し、かつこの第二の瓦の添接及び当接時に、この安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に被せ葺設する縦棧葺設工法である。
【００１３】
請求項３の発明は、請求項１の目的を達成すること、またこの目的を達成するのに最適な差込み葺設する縦棧葺設工法を提供することを意図する。
【００１４】
請求項３は、屋根地に地割に沿って縦横棧を付設し、一本の縦棧に沿って軒先から棟方向に第一の瓦を順次葺設するに際して、この縦棧に、この第一の瓦の裏面の尻側に設けた、前記屋根地に衝突しない寸法の凸部を備える安定駒の差込み側を添接し、またこの縦棧に、裏面の尻側に設けた、裏面視して三角形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦は、裏面の尻側に設けた、前記三角形状の削面を利用して、前記第一の瓦の棧山側裏面と、縦棧との間に形成した隙間に向かって差込み、この差込み時に、前記縦棧に安定駒の差込み側を添接するとともに、当該第二の瓦の裏面の尻側に設けた、前記三角形状の削面を前記縦棧に当接するこの第二の瓦の添接及び当接時に、この第二の瓦の安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に差込み葺設する縦棧葺設工法である。
【００１５】
請求項４の発明は、請求項３の目的を達成すること、またこの目的を達成するのに最適な被せ葺設する縦棧葺設工法を提供することを意図する。
【００１６】
請求項４は、屋根地に地割に沿って縦横棧を付設し、縦棧及び横棧に沿って前記屋根地の桁方向に第一の瓦を順次葺設するに際して、この縦棧に第一の瓦の裏面の尻側に設けた、前記屋根地に衝突しない寸法の凸部を備える安定駒の差込み側を添接し、またこの縦棧に、裏面の尻側に設けた、裏面視して三角形状の削面を当接するとともに、この第一の瓦の添接及び当接時に、この第一の瓦の安定駒の底面を、前記横棧の表面に当接し、かつ前記凸部の内側と、前記第一の瓦の裏面の尻側に設けた引掛け突起を前記横棧に係止し、この葺設した多数の第一の瓦に隣接して、多数の第二の瓦を葺設する縦棧葺設工法であって、
この第二の瓦の棧山側を、前記第一の瓦の差込み側に被せ葺きするように葺設し、この被せ葺き時に、前記縦棧に当該第二の瓦の裏面の尻側に設けた、前記凸部を備える安定駒の差込み側を添接するとともに、当該第二の瓦の裏面の尻側に設けた、前記三角形状の削面を前記縦棧に当接するこの第二の瓦の添接及び当接時に、この安定駒の底面を前記横棧の表面に当接し、かつ前記凸部の内側と、前記第二の瓦の裏面の尻側に設けた引掛け突起を前記横棧に係止し、当該第二の瓦を縦棧及び横棧を利用して、前記第一の瓦に被せ葺設する縦棧葺設工法である。
【００１７】
【００１８】
【００１９】
【００２０】
【発明の効果】
【００２１】
請求項１の発明は、屋根地に地割に沿って縦横棧を付設し、一本の縦棧に沿って軒先から棟方向に第一の瓦を順次葺設するに際して、縦棧に、第一の瓦の裏面の尻側に設けた、屋根地に衝突しない寸法の凸部を備える安定駒の差込み側を添接し、また縦棧に、裏面の尻側に設けた、凸部を備える安定駒から差込み側端面に亘って形成した、裏面視して方形状の削面を当接するとともに、第一の瓦の添接及び当接時に、第一の瓦の安定駒の底面を、横棧の表面に当接し、かつ凸部の内側と、第一の瓦の裏面の尻側に設けた引掛け突起を横棧に係止し、葺設した多数の第一の瓦に隣接して、多数の第二の瓦を葺設する縦棧葺設工法であって、
第二の瓦は、裏面の尻側に設けた、凸部を備える安定駒から差込み側端面に亘って形成した、裏面視して方形状の削面を利用して、第一の瓦の棧山側裏面と、縦棧との間に形成した隙間に向かって差込み、差込み時に、縦棧に安定駒の差込み側を添接し、また削面を縦棧に当接するとともに、第二の瓦の添接及び当接時に、第二の瓦の安定駒の底面を横棧の表面に当接し、かつ凸部の内側と、第二の瓦の裏面の尻側に設けた引掛け突起を横棧に係止し、第二の瓦を縦棧及び横棧を利用して、第一の瓦に差込み葺設する縦棧葺設工法。である。
【００２２】
従って、請求項１は、第二の瓦の差込み側を、第一の瓦の棧山側裏面と、縦棧との間に形成した隙間に向かって差込み作業をすることで、この第二の瓦に設けた安定駒の差込み側が、縦棧の側面に添接するとともに、この削面を縦棧の表面に当接できること、またこの安定駒の底面は、横棧の表面に当接される葺設工法であり、この第二の瓦を、容易・確実かつ迅速に差込み葺設できること、又は安定駒の差込み側に、縦棧の側面を衝止して確実に葺設できること、また指による衝止感覚を利用して葺設できること等の特徴を有する。また請求項１は、安定駒の凸部を横棧に係止することで、瓦の安定施工と、ズレ・回転・飛散防止等が図れる差込み葺き工法（差込み葺設する縦棧葺設工法）を提供できること等の実益を有する。
【００２３】
請求項２の発明は、屋根地に地割に沿って縦横棧を付設し、縦棧及び横棧に沿って屋根地の桁方向に第一の瓦を順次葺設するに際して、縦棧に第一の瓦の裏面の尻側に設けた、屋根地に衝突しない寸法の凸部を備える安定駒の差込み側を添接し、また縦棧に、裏面の尻側に設けた、凸部を備える安定駒から差込み側端面に亘って形成した、裏面視して方形状の削面を当接するとともに、第一の瓦の添接及び当接時に、第一の瓦の安定駒の底面を、横棧の表面に当接し、かつ凸部の内側と、第一の瓦の裏面の尻側に設けた引掛け突起を横棧に係止し、葺設した多数の第一の瓦に隣接して、多数の第二の瓦を葺設する縦棧葺設工法であって、
第二の瓦の棧山側を、第一の瓦の差込み側に被せ葺きするように葺設し、被せ葺き時に、縦棧に第二の瓦の裏面の尻側に設けた、凸部を備える安定駒の差込み側を添接し、第二の瓦の裏面の尻側に設けた、凸部を備える安定駒から差込み側端面に亘って形成した、裏面視して方形状の削面を縦棧に当接し、かつ第二の瓦の添接及び当接時に、安定駒の底面を横棧の表面に当接し、かつ凸部の内側と、第二の瓦の裏面の尻側に設けた引掛け突起を横棧に係止し、第二の瓦を縦棧及び横棧を利用して、第一の瓦に被せ葺設する縦棧葺設工法である。
【００２４】
従って、請求項２は、請求項１の目的を達成できる被せ葺き工法（被せ葺設する縦棧葺設工法）を提供できる特徴を有する。
【００２５】
請求項３の発明は、屋根地に地割に沿って縦横棧を付設し、一本の縦棧に沿って軒先から棟方向に第一の瓦を順次葺設するに際して、縦棧に、第一の瓦の裏面の尻側に設けた、屋根地に衝突しない寸法の凸部を備える安定駒の差込み側を添接し、また縦棧に、裏面の尻側に設けた、裏面視して三角形状の削面を当接するとともに、第一の瓦の添接及び当接時に、第一の瓦の安定駒の底面を、横棧の表面に当接し、かつ凸部の内側と、第一の瓦の裏面の尻側に設けた引掛け突起を横棧に係止し、葺設した多数の第一の瓦に隣接して、多数の第二の瓦を葺設する縦棧葺設工法であって、
第二の瓦は、裏面の尻側に設けた、三角形状の削面を利用して、第一の瓦の棧山側裏面と、縦棧との間に形成した隙間に向かって差込み、差込み時に、縦棧に安定駒の差込み側を添接するとともに、第二の瓦の裏面の尻側に設けた、三角形状の削面を縦棧に当接する第二の瓦の添接及び当接時に、第二の瓦の安定駒の底面を横棧の表面に当接し、かつ凸部の内側と、第二の瓦の裏面の尻側に設けた引掛け突起を横棧に係止し、第二の瓦を縦棧及び横棧を利用して、第一の瓦に差込み葺設する縦棧葺設工法である。
【００２６】
従って、請求項３は、請求項１の目的を達成できること、またこの目的を達成するのに最適な差込み葺設する縦棧葺設工法を提供できること等の特徴を有する。
【００２７】
請求項４の発明は、屋根地に地割に沿って縦横棧を付設し、縦棧及び横棧に沿って屋根地の桁方向に第一の瓦を順次葺設するに際して、縦棧に第一の瓦の裏面の尻側に設けた、屋根地に衝突しない寸法の凸部を備える安定駒の差込み側を添接し、また縦棧に、裏面の尻側に設けた、裏面視して三角形状の削面を当接するとともに、第一の瓦の添接及び当接時に、第一の瓦の安定駒の底面を、横棧の表面に当接し、かつ凸部の内側と、第一の瓦の裏面の尻側に設けた引掛け突起を横棧に係止し、葺設した多数の第一の瓦に隣接して、多数の第二の瓦を葺設する縦棧葺設工法であって、
第二の瓦の棧山側を、第一の瓦の差込み側に被せ葺きするように葺設し、被せ葺き時に、縦棧に当該第二の瓦の裏面の尻側に設けた、凸部を備える安定駒の差込み側を添接するとともに、第二の瓦の裏面の尻側に設けた、三角形状の削面を縦棧に当接する第二の瓦の添接及び当接時に、安定駒の底面を横棧の表面に当接し、かつ凸部の内側と、第二の瓦の裏面の尻側に設けた引掛け突起を横棧に係止し、第二の瓦を縦棧及び横棧を利用して、第一の瓦に被せ葺設する縦棧葺設工法である。
【００２８】
従って、請求項４は、請求項３の目的を達成できること、またこの目的を達成するのに最適な被せ葺設する縦棧葺設工法を提供できること等の特徴を有する。
【００２９】
【００３０】
【００３１】
【００３２】
【発明を実施するための最良の形態】
【００３３】
以下、本発明の実施の態様（形態）を説明する。
【００３４】
１は瓦で、この一例では和型瓦を示すが限定されず、例えば、本葺き一体化瓦（本葺き瓦と丸瓦が一体となった簡易型本葺き瓦）、平瓦、Ｓ型瓦、平板二山瓦等が含まれる。この瓦１の裏面１−２の尻側１ａには、当該瓦１の表面１−１の谷部１−１ａの中心を基点として、対の引掛け突起２、３を設ける。この対の引掛け突起２，３は、差込み側１ｂに設けた引掛け突起２と、棧山側１ｃに設けた引掛け突起３で構成し、この対の引掛け突起２，３を、屋根地Ａに設けた横棧Ａ１に略均等に係止することを意図して、前述の如く、谷部１−１ａの中心より略同じ位置に設ける（所定寸法を確保する）ことが望ましいが限定されない。図中１ｄは瓦１の頭側を示す。
【００３５】
また瓦１の裏面１−２の尻側１ａに、差込み側１ｂの引掛け突起２に隣接して安定駒４を形成し、安定駒４から差込み側１ｂの端面１ｂ−１に亘って屋根地Ａに設けた縦棧Ａ２に当接するための削面５を形成する。この削面５の内側（瓦１の内方）より尻側１ａ（瓦１の外方）に向かって形成される長さＬが、安定駒４の流れ方向（縦棧Ａ２の長手方向「軒から棟の方向」）の長さＬ１と略同じに構成する。この削面５の望ましい、形態の一例を説明する。図８、図１０は、削面５を、裏面視して方形状として、その前後（縦棧Ａ２の長手方向における前後）の角部を縦棧Ａ２に、同図矢印「イ」で図示したような二点支持で添接する。この添接は、縦棧Ａ２との間に、空間を形成して、乾燥、腐蝕防止等に役立てること、又は削面５及び／又は縦棧Ａ２の僅かな形状変化に対しても、使用可能な関係を維持できること等の利点がある。また図９は、削面５を、側面視して尻側１ａ端面に向かって傾斜形状として、その略全部を同図矢印「ロ」で図示したような縦棧Ａ２に添接する。この添接は、縦棧Ａ２との密着を確保して、葺設の安定性、瓦１の葺設の一定化、安定化等を図ること、又は安定駒４と横棧Ａ１との当接との相乗効果を利用して、前記葺設の安定性、瓦１の葺設の一定化、安定化等に役立てること、さらに耐風性、耐震性の向上に有効であること等の利点がある。さらに図１２は、削面５を、裏面視して三角形状として、その前から後に向かった傾斜状の角部を縦棧Ａ２に添接する。この例は、瓦１の製造の容易化、形状の安定性に役立つこと等の利点と、前述の図９に略準ずる利点を有する。
【００３６】
そして、また後述する削面５に各態様の凹凸、凹凸条（縦棧Ａ２の長手方向及び／又はその対峙方向等の各方向に向かった、以下省略）、又は係止部等を設けた特徴が発揮できる。尚、この削面５に各態様の凹凸、凹凸条等、又は係止部等を形成し、縦棧Ａ２にこれに対応する各態様の凹凸、凹凸条（縦棧Ａ２の長手方向及び／又はその対峙方向等の各方向に向かった）、又は被係止部等を形成した構造とする。この削面５の各態様の凹凸、凹凸条、又は係止部等と、縦棧Ａ２の各態様の凹凸、凹凸条、又は係止部等との対峙関係を利用し、この両者の係合の容易化、確実化、強固な係合（連繋）等を図ることも可能である。
【００３７】
尚、前記安定駒４の長さＬ１は、瓦１の内側（瓦１の内方）より尻側１ａ（瓦１の外方）に向かって形成されるが、この安定駒４の長さＬ１の略１／２に膨出形状の凸部４０を形成し、この凸部４０の内側４０ａを横棧Ａ１の上面に係止する構成とし、瓦１の安定葺設と、位置決めの容易化、固定化等に役立てることが好ましい。そして、この凸部４０は屋根地Ａに衝突しない寸法とする。またこの凸部４０を備えた安定駒４は、安定駒４としての本来的な効果を備えるとともに、前述した各種の別の新たな効果及び／又は機能を備えており極めて有効であって、かつ実益性を具備する。また内側４０ａの略全体を横棧Ａ１の上面に接触する傾斜面（図示せず）とすることも可能である。更に安定駒４の長さＬ１を延長し、この延長部（図示せず）に係止凸部（図示せず）を設け、前記凸部４０とこの係止凸部で横棧Ａ１を挾む構成とし、瓦１の安定葺設と、飛散防止、耐震強度の向上等を図ることも可能である。
【００３８】
以下、図３〜図７を基にして、差込み葺きの一例を説明すると、屋根地Ａに地割寸法に沿って縦横棧Ａ２、Ａ１を設ける。そして、先ず、第一の瓦１００（１）を葺設するに際して、この縦棧Ａ２に第一の瓦１００の裏面１−２の尻側１ａであって、その差込み側１ｂに形成した削面５を添接するとともに、この第一の瓦１００に設けた安定駒４の差込み側４−１を前記縦棧Ａ２の側面に当接するように葺設し、しかも第一の瓦１００に設けた安定駒４の凸部４０の尻側端部を横棧Ａ２に係止する。この一連の葺設作業で、第一の瓦１００が縦横棧Ａ２、Ａ１を利用して屋根地Ａに葺設される。続いて、第二の瓦１０１（１）を葺設するに際し、この第二の瓦１０１を、前記第一の瓦１００の棧山側１ｃの裏面１−２と、縦棧Ａ２との間に形成した隙間Ｈに向かって、当該第二の瓦１０１の差込み側１ｂを差込み、しかもこの第二の瓦１０１の裏面１−２に設けた削面５を、縦棧Ａ２に添接するようにして差込むとともに、この第二の瓦１０１の安定駒４の凸部４０を横棧Ａ１に係止する。この一連の葺設作業で、第二の瓦１０１が縦横棧Ａ２、Ａ１を利用して屋根地Ａに葺設される。以上のような葺設作業を順次行うことで、この屋根地Ａの全体に瓦１が葺設される。
【００３９】
また他の差込み葺きとしては、前述の第一の瓦１００を順次屋根地Ａの軒先Ｂから棟Ｂ１方向に向かって葺設し、この第一の瓦１００に隣接する第二の瓦１０１を差込み葺設する方法もある。この場合は、前述と同様にこの第一の瓦１００に第二の瓦１０１を同様に差込み葺きする。そして、この第二の瓦１０１を同様に順次屋根地Ａの軒先Ｂから棟Ｂ１方向に向かって葺設する。以上のような葺設作業を順次行うことで、この屋根地Ａの全体に瓦１が葺設される。
【００４０】
従って、第一の瓦１００、第二の瓦１０１（総称する場合は瓦１とする）を、容易・確実かつ迅速に差込み葺設できること、又は安定駒４の差込み側４−１を縦棧Ａ２の側面に衝止及び／又は削面５を縦棧Ａ２の表面に添接し、かつ安定駒４の凸部４０を横棧Ａ１の上面（尻側端部）に係止できることから、瓦１を確実かつ安定して葺設できること、また葺設の簡便化、迅速化等に役立つこと、さらに指による衝止感覚を利用して葺設できること等の特徴を有する。また図示しないが、葺き替えの場合にも、前述と同様な手段が採用できる。従って、この葺き替えの簡便化、迅速化等に役立つ特徴を有する。また従来の縦棧工法では、極めて困難であった、この種の葺き替え作業が容易にできる実益がある。
【００４１】
尚、瓦１の被せ葺きの場合は、図示しないが、前述と同様に第一の瓦１００の裏面１−２に設けた削面５を、縦棧Ａ２に添接するとともに、この第一の瓦１００の安定駒４の凸部４０を横棧Ａ１に係止する。続いて、この第一の瓦１００の差込み側１ｂに第二の瓦１０１の棧山側１ｃを被せ葺きする。この際に前述と同様に、この第二の瓦１０１の裏面１−２に設けた削面５を、縦棧Ａ２に添接するとともに、この第二の瓦１０１の安定駒４の凸部４０を横棧Ａ１に係止する。この一連の葺設作業で、第一の瓦１００及び第二の瓦１０１が縦横棧Ａ２、Ａ１を利用して屋根地Ａに葺設される。以上のような葺設作業を順次行うことで、この屋根地Ａの全体に瓦１が葺設される。従って、前述の差込み葺きと同様な効果が期待できる。
【００４２】
図中２０は尻棧山側の切込み、２１は頭差込み側の切込みをそれぞれ示す。また２２は釘穴、２３は水返しを示す。
【図面の簡単な説明】
【００４３】
【図１】本発明の瓦の一例を示した表面図
【図２】図１の裏面図
【図３】図１の瓦の葺設状態で、棟側より見た縮尺模式図
【図４】図３の要部斜視図
【図５】縦横棧と、瓦の安定駒、削面との関係を示した拡大模式図
【図６】図５の全体を示した尻側からの正面図
【図７】第一の瓦と、第二の瓦との関係を説明する拡大斜視図
【図８】削面の一例を示した側面図
【図９】削面の他の一例を示した側面図
【図１０】図８に示した削面の拡大裏面図
【図１１】本発明の瓦の他の一例を示した裏面図
【図１２】図１１に示した削面の拡大裏面図
【符号の説明】
【００４４】
１            瓦
１００        第一の瓦
１０１        第二の瓦
１−１        表面
１−１ａ      谷部
１−２        裏面
１ａ          尻側
１ｂ          差込み側
１ｂ−１      端面
１ｃ          棧山側
１ｄ          頭側
２            引掛け突起
３            引掛け突起
４            安定駒
４−１        差込み側
４０          凸部
４０ａ        内側
５            削面
２０          切込み
２１          切込み
２２          釘穴
２３          水返し
Ａ            屋根地
Ａ１          横棧
Ａ２          縦棧
Ｂ            軒先
Ｂ１          棟
Ｈ            隙間
Ｌ            長さ
Ｌ１          長さ